(57)【要約】  本開示は、チャネル推定のための通信装置および通信方法を提供する。本通信装置は、動作中、多入力多出力（ＭＩＭＯ）ワイヤレスネットワークにおいて１つ以上の他の通信装置に物理レイヤプロトコルデータユニット（ＰＰＤＵ）を送信する送信機であって、前記ＰＰＤＵは、１つ以上の他の通信装置が本通信装置とのそれぞれの通信用のそれぞれのチャネルを推定することを容易にするロングトレーニングフィールド（ＬＴＦ）を含む、送信機と、動作中、前記ＰＰＤＵの中の前記ＬＴＦを生成するためのＬＴＦシンボルの数（ＮＬＴＦ）を設定する制御器であって、前記ＮＬＴＦは、前記ＰＰＤＵにおける各リソースユニット（ＲＵ）についての時空間ストリームの数の最大値（ＮＳＴＳＭＡＸ）に依存する、制御器と、を備えている。
2022501907.tif 000002
【特許請求の範囲】
【請求項１】
通信装置であって、
動作中、ＭＩＭＯワイヤレスネットワークにおいて１つ以上の他の通信装置に物理レイヤプロトコルデータユニット（ＰＰＤＵ）を送信する送信機であって、前記ＰＰＤＵは、前記１つ以上の他の通信装置が前記通信装置とのそれぞれの通信用のそれぞれのチャネルを推定することを容易にするロングトレーニングフィールド（ＬＴＦ）を含む、送信機と、
動作中、前記ＰＰＤＵの中の前記ＬＴＦを生成するためのＬＴＦシンボルの数（ＮＬＴＦ）を設定する制御器であって、前記ＮＬＴＦは、前記ＰＰＤＵにおける各リソースユニット（ＲＵ）についての時空間ストリームの数の最大値（ＮＳＴＳＭＡＸ）に依存する、制御器と、
を備えている通信装置。
【請求項２】
前記制御器は、動作中、
前記ＮＳＴＳＭＡＸが偶数であるときには、前記ＮＬＴＦを、前記ＰＰＤＵの中の前記ＮＳＴＳＭＡＸに等しいように設定し、
前記ＮＳＴＳＭＡＸが１以外の奇数であるときには、前記ＮＬＴＦを、前記ＰＰＤＵの中の前記ＮＳＴＳＭＡＸ＋１に等しいように設定する、
請求項１に記載の通信装置。
【請求項３】
前記ＰＰＤＵの中の前記ＮＳＴＳＭＡＸは９以上である、
請求項１に記載の通信装置。
【請求項４】
前記制御器は、動作中、
前記ＮＳＴＳＭＡＸがしきい値より小さい奇数であるときには、前記ＮＬＴＦを、前記ＰＰＤＵの中の前記ＮＳＴＳＭＡＸ＋１に等しいように設定し、
前記ＮＳＴＳＭＡＸが前記しきい値以上の奇数であるときには、前記ＮＬＴＦを、前記ＰＰＤＵの中の前記ＮＳＴＳＭＡＸに等しいように設定する、
請求項１に記載の通信装置。
【請求項５】
前記制御器は、動作中、前記ＮＬＴＦと前記ＰＰＤＵの中の前記ＮＳＴＳＭＡＸとの間の対応関係に従って前記ＮＬＴＦを設定し、
前記ＮＬＴＦと前記ＮＳＴＳＭＡＸとの間の前記対応関係は、前記ＰＰＤＵがシングルユーザＰＰＤＵまたはマルチユーザＰＰＤＵのフォーマットである場合には前記通信装置によって決定され、
前記ＮＬＴＦと前記ＮＳＴＳＭＡＸとの間の前記対応関係は、前記ＰＰＤＵがトリガーベースＰＰＤＵのフォーマットである場合には前記１つ以上の他の通信装置によって決定される、
請求項１に記載の通信装置。
【請求項６】
動作中、前記ＬＴＦに先行するシグナリング情報フィールドを含む前記ＰＰＤＵを生成する送信信号生成器であって、前記シグナリング情報フィールドは、前記ＮＳＴＳＭＡＸを示すための第１のシグナリング、および、前記ＮＳＴＳＭＡＸと前記ＮＬＴＦとの間の前記対応関係を示すための第２のシグナリングを含み、前記ＰＰＤＵは、シングルユーザＰＰＤＵのフォーマットである、送信信号生成器
を備えている、請求項５に記載の通信装置。
【請求項７】
動作中、前記ＬＴＦに先行するシグナリング情報フィールドを含む前記ＰＰＤＵを生成する送信信号生成器であって、前記シグナリング情報フィールドは、前記ＮＬＴＦを示すためのシグナリングを含み、前記ＰＰＤＵは、マルチユーザＰＰＤＵのフォーマットである、送信信号生成器
を備えている、請求項５に記載の通信装置。
【請求項８】
前記ＰＰＤＵがシングルユーザＰＰＤＵまたはマルチユーザＰＰＤＵのフォーマットである場合、前記制御器は、動作中、前記ＰＰＤＵの中の前記ＮＳＴＳＭＡＸを決定する、
請求項１に記載の通信装置。
【請求項９】
動作中、前記ＬＴＦシンボル用の行列（Ｐ行列）および前記ＮＬＴＦに基づいて、前記ＰＰＤＵの中の前記ＬＴＦを生成する送信信号生成器
を備えており、
前記制御器は、動作中、前記ＮＬＴＦに基づいて前記Ｐ行列を生成する、
請求項１に記載の通信装置。
【請求項１０】
前記ＰＰＤＵがシングルユーザＰＰＤＵのフォーマットである場合、前記通信装置はアクセスポイント（ＡＰ）であり、かつ、前記１つ以上の他の通信装置はステーション（ＳＴＡ）であり、または、前記通信装置はＳＴＡであり、かつ、前記１つ以上の他の通信装置はＡＰであり、
前記制御器は、前記ＮＬＴＦを設定するときに前記ＮＬＴＦを決定する、
請求項１に記載の通信装置。
【請求項１１】
前記ＰＰＤＵがマルチユーザＰＰＤＵのフォーマットである場合、前記通信装置はアクセスポイント（ＡＰ）であり、かつ、前記１つ以上の他の通信装置は複数のステーション（ＳＴＡ）を含み、
前記制御器は、前記ＮＬＴＦを設定するときに前記ＮＬＴＦを決定する、
請求項１に記載の通信装置。
【請求項１２】
前記ＰＰＤＵがトリガーベースＰＰＤＵのフォーマットである場合、前記１つ以上の他の通信装置はアクセスポイント（ＡＰ）であり、かつ、前記通信装置はステーション（ＳＴＡ）であり、
前記制御器は、前記ＮＬＴＦを設定するときに、前記１つ以上の他の通信装置から受信されたトリガー情報から前記ＮＬＴＦを取り出す、
請求項１に記載の通信装置。
【請求項１３】
第１の通信装置が、ＭＩＭＯワイヤレスネットワークにおいて１つ以上の第２の通信装置に物理レイヤプロトコルデータユニット（ＰＰＤＵ）を送信するステップであって、前記ＰＰＤＵは、前記１つ以上の第２の通信装置が前記第１の通信装置とのそれぞれの通信用のそれぞれのチャネルを推定することを容易にするロングトレーニングフィールド（ＬＴＦ）を含む、ステップと、
前記第１の通信装置が、前記ＰＰＤＵの中の前記ＬＴＦを生成するためのＬＴＦシンボルの数（ＮＬＴＦ）を設定するステップであって、前記ＮＬＴＦは、前記ＰＰＤＵにおける各リソースユニット（ＲＵ）についての時空間ストリームの数の最大値（ＮＳＴＳＭＡＸ）に依存する、ステップと、
を含む通信方法。
【発明の詳細な説明】
【技術分野】
【０００１】
本開示は、チャネル推定のための通信装置および通信方法に関し、より詳細には、多入力多出力（ＭＩＭＯ（multiple-input multiple-output））ワイヤレスネットワークにおけるチャネル推定のための通信装置および通信方法に関する。
【背景技術】
【０００２】
次世代のワイヤレスローカルエリアネットワーク（ＷＬＡＮ）の標準化において、ＩＥＥＥ８０２．１１ａ／ｂ／ｇ／ｎ／ａｃ／ａｘ技術との後方互換性を有する新しい無線アクセス技術が、ＩＥＥＥ８０２．１１ワーキンググループにおいて検討されており、超高スループット（ＥＨＴ：Extremely High Throughput）ＷＬＡＮと命名されている。
【０００３】
ＥＨＴ  ＷＬＡＮにおいて、８０２．１１ａｘ高効率（ＨＥ）ＷＬＡＮよりもピークスループットおよび容量を大きく増大させる目的で、特にマルチユーザＭＩＭＯ（ＭＵ−ＭＩＭＯ）伝送の場合に空間ストリームの最大数を８から１６に増やすことが望ましい。
【０００４】
しかしながら、ＥＨＴ  ＷＬＡＮのコンテキストにおいてＭＩＭＯチャネル推定のための通信装置および通信方法に関する検討はなされていない。
【０００５】
したがって、ＥＨＴ  ＷＬＡＮのコンテキストにおいてＭＩＭＯチャネル推定のための実現可能な技術的解決策を提供する通信装置および通信方法のニーズがある。さらには、添付の図面および本開示のこの背景技術と併せて以下の詳細な説明および特許請求の範囲を読み進めることにより、それ以外の望ましい機能および特徴が明らかになるであろう。
【発明の概要】
【０００６】
非限定的かつ例示的な一実施形態は、ＥＨＴ  ＷＬＡＮのコンテキストにおけるＭＩＭＯチャネル推定のための装置の提供に資する。
【０００７】
本開示の第１の実施形態によれば、通信装置であって、動作中、ＭＩＭＯワイヤレスネットワークにおいて１つ以上の他の通信装置に物理レイヤプロトコルデータユニット（ＰＰＤＵ）を送信する送信機であって、前記ＰＰＤＵは、前記１つ以上の他の通信装置が前記通信装置とのそれぞれの通信用のそれぞれのチャネルを推定することを容易にするロングトレーニングフィールド（ＬＴＦ：long training field）を含む、送信機と、動作中、前記ＰＰＤＵの中の前記ＬＴＦを生成するためのＬＴＦシンボルの数（ＮＬＴＦ）を設定する制御器であって、前記ＮＬＴＦは、前記ＰＰＤＵにおける各リソースユニット（ＲＵ）についての時空間ストリームの数の最大値（ＮＳＴＳＭＡＸ）に依存する、制御器と、を含む通信装置が提供される。
【０００８】
本開示の第２の実施形態によれば、第１の通信装置から、ＭＩＭＯワイヤレスネットワークにおいて１つ以上の第２の通信装置に物理レイヤプロトコルデータユニット（ＰＰＤＵ）を送信するステップであって、前記ＰＰＤＵは、前記１つ以上の第２の通信装置が前記第１の通信装置とのそれぞれの通信用のそれぞれのチャネルを推定することを容易にするロングトレーニングフィールド（ＬＴＦ）を含む、ステップと、前記第１の通信装置によって、前記ＰＰＤＵの中の前記ＬＴＦを生成するためのＬＴＦシンボルの数（ＮＬＴＦ）を設定するステップであって、前記ＮＬＴＦは、前記ＰＰＤＵにおける各リソースユニット（ＲＵ）についての時空間ストリームの数の最大値（ＮＳＴＳＭＡＸ）に依存する、ステップと、を含む通信方法が提供される。
【０００９】
なお、一般的または特定の実施形態は、システム、方法、集積回路、コンピュータプログラム、記憶媒体、またはこれらの任意の選択的組合せとして実施してよいことに留意されたい。
【００１０】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点のうちの１つ以上を得るために、これらの特徴すべてを設ける必要はない。
【図面の簡単な説明】
【００１１】
本開示の実施形態は、以下に例としてのみ記述されている説明を図面と併せて参照しながら読み進めることによって、当業者に、より深く理解されて容易に明らかになるであろう。図中の要素は、簡潔かつ明瞭であるように示されており、必ずしも縮尺通りに描かれているわけではないことが、当業者には理解されるであろう。例えば、図解、ブロック図、またはフロー図におけるいくつかの要素の寸法は、本開示をより深く理解できるように、他の要素に対して誇張されて描かれていることがある。
【図１Ａ】ＭＩＭＯワイヤレスネットワークにおけるアクセスポイント（ＡＰ）とステーション（ＳＴＡ）との間のアップリンクおよびダウンリンクのシングルユーザＭＩＭＯ通信の概略図
【図１Ｂ】図１Ａに示されているシングルユーザＭＩＭＯ通信に使用される物理レイヤプロトコルデータユニット（ＰＰＤＵ）のフォーマットを示す図
【図２Ａ】ＭＩＭＯワイヤレスネットワークにおけるＡＰと複数のＳＴＡとの間のダウンリンクマルチユーザＭＩＭＯ通信の概略図
【図２Ｂ】図２Ａに示されているダウンリンクマルチユーザＭＩＭＯ通信に使用される物理レイヤプロトコルデータユニット（ＰＰＤＵ）のフォーマットを示す図
【図３Ａ】ＭＩＭＯワイヤレスネットワークにおけるＡＰと複数のＳＴＡとの間のアップリンクマルチユーザＭＩＭＯ通信の概略図（このアップリンクマルチユーザＭＩＭＯ通信は、同義語としてトリガーベースＭＩＭＯ通信と称されてもよい）
【図３Ｂ】図３Ａに示されているトリガーベースＭＩＭＯ通信に使用される物理レイヤプロトコルデータユニット（ＰＰＤＵ）のフォーマットを示す図
【図４】実施形態に従った通信装置の概略的な一例を示す図（この通信装置は、ＡＰまたはＳＴＡとして実施されてよく、本開示のさまざまな実施形態に従ってチャネルを推定するように構成されている）
【図５】本開示の第１の実施形態に従ったＮＬＴＦ決定の一例を示す図
【図６Ａ】本開示の第２の実施形態に従ったＮＬＴＦ決定の一例を示す図
【図６Ｂ】本開示の第２の実施形態に従ったＮＬＴＦ決定の一例を示す図
【図７】図６Ａおよび図６Ｂに示されている第２の実施形態に従って、アップリンクシングルユーザＭＩＭＯ通信、ダウンリンクシングルユーザＭＩＭＯ通信、およびダウンリンクマルチユーザＭＩＭＯ通信の際に、通信装置においてＰＰＤＵの中のＬＴＦを生成する例示的なフロー図（ダウンリンクシングルユーザＭＩＭＯ通信およびダウンリンクマルチユーザＭＩＭＯ通信では、通信装置はＡＰであり、アップリンクシングルユーザＭＩＭＯ通信では、通信装置はＳＴＡである）
【図８】図６Ａおよび図６Ｂに示されている第２の実施形態に従って、アップリンクシングルユーザＭＩＭＯ通信およびダウンリンクシングルユーザＭＩＭＯ通信の際に、通信装置においてチャネルを推定するフロー図（ダウンリンクシングルユーザＭＩＭＯ通信では、通信装置はＳＴＡであり、アップリンクシングルユーザＭＩＭＯ通信では、通信装置はＡＰである）
【図９】図６Ａおよび図６Ｂに示されている第２の実施形態に従って、ダウンリンクマルチユーザＭＩＭＯ通信の際に、ＳＴＡにおいてチャネルを推定するフロー図
【図１０】図６Ａおよび図６Ｂに示されている第２の実施形態に従って、トリガーベースＭＩＭＯ通信の際に、ＳＴＡにおいてＰＰＤＵの中のＬＴＦを生成するフロー図
【図１１】図６Ａおよび図６Ｂに示されている第２の実施形態に従って、トリガーベースＭＩＭＯ通信の際に、ＡＰにおいてチャネルを推定するフロー図
【図１２】第３の実施形態（図示せず）に従って、アップリンクシングルユーザＭＩＭＯ通信、ダウンリンクシングルユーザＭＩＭＯ通信、およびダウンリンクマルチユーザＭＩＭＯ通信の際に、通信装置においてＰＰＤＵの中のＬＴＦを生成するフロー図（ダウンリンクシングルユーザＭＩＭＯ通信およびダウンリンクマルチユーザＭＩＭＯ通信では、通信装置はＡＰであり、アップリンクシングルユーザＭＩＭＯ通信では、通信装置はＳＴＡである）
【図１３】第３の実施形態に従って、アップリンクシングルユーザＭＩＭＯ通信およびダウンリンクシングルユーザＭＩＭＯ通信の際に、通信装置においてチャネルを推定するフロー図（ダウンリンクシングルユーザＭＩＭＯ通信では、通信装置はＳＴＡであり、アップリンクシングルユーザＭＩＭＯ通信では、通信装置はＡＰである）
【図１４】第３の実施形態に従って、ダウンリンクマルチユーザＭＩＭＯ通信の際に、ＳＴＡにおいてチャネルを推定するフロー図
【図１５】第３の実施形態に従って、トリガーベースＭＩＭＯ通信の際に、ＳＴＡにおいてＰＰＤＵの中のＬＴＦを生成するフロー図
【図１６】第３の実施形態に従って、トリガーベースＭＩＭＯ通信の際に、ＡＰにおいてチャネルを推定するフロー図
【図１７】上述したさまざまな実施形態に従った、シングルユーザＭＩＭＯ通信およびマルチユーザＭＩＭＯ通信における通信装置の別の概略的な例を示す図（この通信装置は、ＡＰの役割を果たすことができ、本開示のさまざまな実施形態に従ってチャネルを推定するように構成されている）
【図１８】上述したさまざまな実施形態に従った、シングルユーザＭＩＭＯ通信およびマルチユーザＭＩＭＯ通信における通信装置の別の概略的な例を示す図（この通信装置は、ＳＴＡの役割を果たすことができ、本開示のさまざまな実施形態に従ってチャネルを推定するように構成されている）
【発明を実施するための形態】
【００１２】
本開示のいくつかの実施形態について、図面を参照しながら例としてのみ説明する。図面内の類似する参照数字および参照文字は、類似する要素または同一要素を指す。
【００１３】
以下の段落では、特定の例示的な実施形態が、特にＭＩＭＯワイヤレスネットワークにおいてチャネルを推定するアクセスポイント（ＡＰ）およびステーション（ＳＴＡ）に関連して説明されている。
【００１４】
ＩＥＥＥ８０２．１１（Ｗｉ−Ｆｉ（登録商標；以下省略））技術のコンテキストにおいて、ステーション（同義語としてＳＴＡとも称される）は、８０２．１１プロトコルを使用する能力を有する通信装置である。ＩＥＥＥ８０２．１１−２００７の定義に基づくと、ＳＴＡは、ワイヤレス媒体（ＷＭ）へのＩＥＥＥ８０２．１１−２００７準拠の媒体アクセス制御（ＭＡＣ）および物理レイヤ（ＰＨＹ）インタフェースを含む任意のデバイスとすることができる。
【００１５】
例えば、ＳＴＡは、ワイヤレスローカルエリアネットワーク（ＷＬＡＮ）環境におけるラップトップ、デスクトップパーソナルコンピュータ（ＰＣ）、携帯情報端末（ＰＤＡ）、アクセスポイント、またはＷｉ−Ｆｉ電話機であってよい。ＳＴＡは、据置き型または移動型であってよい。ＷＬＡＮ環境において、用語「ＳＴＡ」、「ワイヤレスクライアント」、「ユーザ」、「ユーザデバイス」、および「ノード」は、しばしば同義語として使用される。
【００１６】
同様に、ＡＰ（ＩＥＥＥ８０２．１１（Ｗｉ−Ｆｉ）技術のコンテキストにおいて同義語としてワイヤレスアクセスポイント（ＷＡＰ）とも称される）は、ＷＬＡＮ内のＳＴＡが有線ネットワークに接続することを可能にする通信装置である。ＡＰは、通常、スタンドアロンデバイスとしてのルータに（有線ネットワークを介して）接続されるが、ＡＰがルータ自体の一体要素であってもよい。
【００１７】
上に述べたように、ＷＬＡＮ内のＳＴＡは、さまざまな場合にＡＰとして機能することができ、この逆も同様である。なぜならば、ＩＥＥＥ８０２．１１（Ｗｉ−Ｆｉ）技術のコンテキストにおける通信装置は、ＳＴＡのハードウェア要素およびＡＰのハードウェア要素の両方を含みうるからである。このように、通信装置は、実際のＷＬＡＮの状態および／または要件に基づいて、ＳＴＡモードとＡＰモードとの間で切り替わることができる。
【００１８】
ＭＩＭＯワイヤレスネットワークにおいて、「多（multiple）」は、すべて無線チャネルを通じて送信用に同時に使用される複数のアンテナおよび受信用に同時に使用される複数のアンテナを意味する。この点において、「多入力（multiple-input）」は、無線信号をチャネルに入力する複数の送信機アンテナを意味し、「多出力（multiple-output）」は、チャネルから受信機の中へと無線信号を受信する複数の受信機アンテナを意味する。例えば、Ｎ×Ｍ  ＭＩＭＯネットワークシステムにおいては、Ｎは送信機アンテナの数であり、Ｍは受信機アンテナの数であり、Ｎは、Ｍに等しいこともあれば等しくないこともある。本開示では、簡潔さを目的として、送信機アンテナの数および受信機アンテナの数についてはさらに議論しない。
【００１９】
ＭＩＭＯワイヤレスネットワークにおいて、ＡＰおよびＳＴＡなどの通信装置の間の通信用に、シングルユーザ通信およびマルチユーザ通信を展開することができる。
【００２０】
図１Ａは、ＭＩＭＯワイヤレスネットワークにおけるＡＰ  １０２とＳＴＡ  １０４との間のシングルユーザＭＩＭＯ通信１００の概略図を示している。図示されているように、ＭＩＭＯワイヤレスネットワークは、１つ以上のＳＴＡ（例えば、ＳＴＡ  １０４、ＳＴＡ  １０６など）を含むことができる。シングルユーザＭＩＭＯ通信１００において、ＡＰ  １０２は、複数のアンテナ（例えば、図１Ａに示されているような４つのアンテナ）を使用して複数の空間ストリームを送信し、すべての空間ストリームが１つの通信装置（すなわちＳＴＡ  １０４）に向けられている。簡潔さを目的として、ＳＴＡ  １０４に向けられている複数の空間ストリームは、ＳＴＡ  １０４に向けられたグループ化されたデータ送信の矢印１０８として示されている。
【００２１】
シングルユーザＭＩＭＯ通信１００は、双方向送信用に構成されてよい。図１Ａに示されているように、シングルユーザＭＩＭＯ通信１００において、ＳＴＡ  １０４は、複数のアンテナ（例えば、図１Ａに示されているような２つのアンテナ）を使用して複数の空間ストリームを送信することができ、すべての空間ストリームがＡＰ  １０２に向けられている。簡潔さを目的として、ＡＰ  １０２に向けられている複数の空間ストリームは、ＡＰ  １０２に向けられたグループ化されたデータ送信の矢印１１０として示されている。
【００２２】
したがって、図１Ａに示されているシングルユーザＭＩＭＯ通信１００は、ＭＩＭＯワイヤレスネットワークにおけるアップリンクシングルユーザ送信およびダウンリンクシングルユーザ送信の両方を可能にする。
【００２３】
図１Ｂは、図１Ａに示されているシングルユーザＭＩＭＯ通信に使用される物理レイヤプロトコルデータユニット（ＰＰＤＵ）１５０のフォーマットを示している。このようなＰＰＤＵ  １５０は、同義語としてシングルユーザＰＰＤＵとも称され、ダウンリンクシングルユーザ送信およびアップリンクシングルユーザ送信の両方に使用されてよい。
【００２４】
例えば、ＭＩＭＯワイヤレスネットワークが、超高スループットの次世代ＷＬＡＮ（空間ストリームの最大数が８から１６に増えるＥＨＴ  ＷＬＡＮなど）である場合、図１Ｂに示されているシングルユーザＰＰＤＵ  １５０は、非高スループットショートトレーニングフィールド（Ｌ−ＳＴＦ）、非高スループットロングトレーニングフィールド（Ｌ−ＬＴＦ）、非高スループット信号フィールド（Ｌ−ＳＩＧ）、繰り返しＬ−ＳＩＧ（ＲＬ−ＳＩＧ）、超高スループット信号Ａ（ＥＨＴ−ＳＩＧ−Ａ）フィールド１５４、超高スループットショートトレーニングフィールド（ＥＨＴ−ＳＴＦ）、超高スループットロングトレーニングフィールド（ＥＨＴ−ＬＴＦ）１５２、データフィールド、およびパケット拡張（ＰＥ）フィールドを含むことができる。ＩＥＥＥ８０２．１１ワーキンググループが、超高スループットの次世代ＷＬＡＮに、「ＥＨＴ  ＷＬＡＮ」に代わる新しい名称を使用する場合、上のフィールドにおける接頭辞「ＥＨＴ」はそれに応じて変わりうることを理解されたい。
【００２５】
シングルユーザＰＰＤＵおよび任意の他のタイプのＰＰＤＵにおいて、ＥＨＴ−ＬＴＦは、送信機（ダウンリンク送信におけるＡＰの送信機またはアップリンク送信におけるＳＴＡの送信機）が通信に使用するチャネルを推定するための情報を、受信機（ダウンリンク送信におけるＳＴＡの受信機またはアップリンク送信におけるＡＰの受信機）に提供するために使用される。データフィールドは、可変長であり、ユーザデータペイロードを運ぶ。
【００２６】
シングルユーザＰＰＤＵ  １００において、送信機は、データフィールドの所定のリソースユニット（ＲＵ）において物理レイヤサービスデータユニット（ＰＳＤＵ：Physical Layer Service Data Unit）の送信に使用されるＮＳＴＳ，ｔｏｔａｌ個の時空間ストリームについてのトレーニングを提供し、ここで、ＮＳＴＳ，ｔｏｔａｌは、ＲＵにおける時空間ストリームの数を表す。例えば、シングルユーザＰＰＤＵ  １００の帯域幅が２０ＭＨｚである場合、所定のＲＵは２４２トーンＲＵである。さまざまなタイプのＲＵが、ＩＥＥＥ８０２．１１ａｘに定義されている。
【００２７】
図２Ａは、ＭＩＭＯワイヤレスネットワークにおけるＡＰ  ２０２と複数のＳＴＡ  ２０４，２０６，２０８との間のダウンリンクマルチユーザＭＩＭＯ通信２００の概略図を示している。
【００２８】
ＭＩＭＯワイヤレスネットワークは、１つ以上のＳＴＡ（例えば、ＳＴＡ  ２０４、ＳＴＡ  ２０６、ＳＴＡ  ２０８など）を含むことができる。ダウンリンクマルチユーザＭＩＭＯ通信２００において、ＡＰ  ２０２は、複数のアンテナを使用して、ネットワーク内で複数のストリームをＳＴＡ  ２０４，２０６，２０８に同時に送信する。例えば、２つの空間ストリームをＳＴＡ  ２０６に向けることができ、別の空間ストリームをＳＴＡ  ２０４に向けることができ、さらに別の空間ストリームをＳＴＡ  ２０８に向けることができる。簡潔さを目的として、ＳＴＡ  ２０６に向けられている２つの空間ストリームが、グループ化されたデータ送信の矢印２１２として示されており、ＳＴＡ  ２０４に向けられている空間ストリームが、データ送信の矢印２１０として示されており、ＳＴＡ  ２０８に向けられている空間ストリームが、データ送信の矢印２１４として示されている。
【００２９】
図２Ｂは、ＡＰと複数のＳＴＡとの間のダウンリンクマルチユーザＭＩＭＯ通信に使用されるＰＰＤＵ  ２５０のフォーマットを示している。このようなＰＰＤＵ  ２５０は、マルチユーザＰＰＤＵ  ２５０と称される。
【００３０】
図２Ｂに示されているように、ＭＩＭＯワイヤレスネットワークが、超高スループットのネットワーク（ＥＨＴ  ＷＬＡＮなど）である場合、マルチユーザＰＰＤＵ  ２５０は、ＥＨＴ  ＭＵ  ＰＰＤＵ  ２５０と称されることがあり、Ｌ−ＳＴＦ、Ｌ−ＬＴＦ、Ｌ−ＳＩＧ、ＲＬ−ＳＩＧ、ＥＨＴ−ＳＩＧ−Ａフィールド２５４、超高スループット信号Ｂ（ＥＨＴ−ＳＩＧ−Ｂ）フィールド２５６、ＥＨＴ−ＳＴＦ、ＥＨＴ−ＬＴＦ  ２５２、データフィールド、およびＰＥフィールドを含む。シングルユーザＰＰＤＵ  １５０と比較すると、マルチユーザＰＰＤＵ  ２５０は、追加の信号フィールド（例えば、ＥＨＴ−ＳＩＧ−Ｂ  ２５６）を含み、これは、ＡＰと通信する複数のＳＴＡ／ユーザの各々についてのユーザ固有リソース割当て情報（例えば、時空間ストリームの数、開始ストリームインデックス（starting stream index）、割り当てられたＲＵ）をシグナリングする。ＩＥＥＥ８０２．１１ワーキンググループが、超高スループットの次世代ＷＬＡＮに、「ＥＨＴ  ＷＬＡＮ」に代わる新しい名称を使用する場合、上のフィールドにおける接頭辞「ＥＨＴ」はそれに応じて変わりうることを理解されたい。
【００３１】
上述したように、マルチユーザＰＰＤＵ  ２５０におけるＥＨＴ−ＬＴＦは、送信機（すなわち、ダウンリンクマルチユーザＭＩＭＯ通信におけるＡＰの送信機）が通信に使用するチャネルを推定するための情報を、受信機（すなわち、ダウンリンクマルチユーザＭＩＭＯ通信におけるＳＴＡの受信機）に提供するために使用される。データフィールドは、可変長であり、ユーザデータペイロードを運ぶ。
【００３２】
マルチユーザＰＰＤＵ  ２５０において、送信機は、データフィールドのｒ番目のＲＵにおいてＰＳＤＵの送信に使用されるＮＳＴＳ，ｒ，ｔｏｔａｌ個の時空間ストリームについてのトレーニングを提供し、ここで、ＮＳＴＳ，ｒ，ｔｏｔａｌは、ｒ番目のＲＵにおけるすべてのＳＴＡ／ユーザにわたる時空間ストリームの数を表す。
【００３３】
マルチユーザＭＩＭＯ通信におけるアップリンクマルチユーザ送信を可能にするために、ＭＩＭＯワイヤレスネットワークにトリガーベース通信（trigger based communication）が提供される。この点において、図３Ａは、ＭＩＭＯワイヤレスネットワークにおけるＡＰ  ３０２と複数のＳＴＡ  ３０４，３０６，３０８との間のアップリンクマルチユーザＭＩＭＯ通信３００（すなわちトリガーベース通信３００）の概略図を示している。
【００３４】
複数のＳＴＡ  ３０４，３０６，３０８がトリガーベースＭＩＭＯ通信に参加するので、トリガーベースＭＩＭＯ通信におけるアップリンク送信を管理するために、ＡＰ  ３０２は、複数のＳＴＡ  ３０４，３０６，３０８の同時送信を調整する必要がある。
【００３５】
そうするために、図３Ａに示されているように、ＡＰ  ３０２は、各ＳＴＡが使用できるユーザ固有リソース割当て情報（例えば、時空間ストリームの数、先頭ストリームインデックス、割り当てられたＲＵ）を示すためのトリガー情報３０９，３１１，３１３を、複数のＳＴＡ  ３０４，３０６，３０８に同時に送信する。トリガー情報は、トリガーフレームに、または、制御ラッパー（Control Wrapper）フレーム、サービス品質（ＱｏＳ）データ（Quality of Service (QoS) Data）フレーム、もしくは管理フレームのＭＡＣヘッダに含められる。複数のＳＴＡ  ３０４，３０６，３０８は、トリガー情報に応じて、トリガー情報において示されるユーザ固有リソース割当て情報に従って、ＡＰ  ３０２へのアップリンク送信３１０，３１２，３１４の準備を行うことができる。
【００３６】
図３Ｂは、ＡＰと複数のＳＴＡとの間のトリガーベース通信に使用されるＰＰＤＵ  ３５０のフォーマットを示している。このようなＰＰＤＵは、トリガーベースＰＰＤＵ  ３５０と称される。
【００３７】
トリガーベースＰＰＤＵ  ３５０において、ｒ番目のＲＵにおけるユーザｕの送信機が、データフィールドのｒ番目のＲＵにおけるＰＳＤＵのアップリンク送信に使用されるＮＳＴＳ，ｒ，ｕ個の時空間ストリームについてのトレーニングを提供し、ここで、ＮＳＴＳ，ｒ，ｕは、ユーザｕについてのｒ番目のＲＵにおける時空間ストリームの数を表す。
【００３８】
図３Ｂに示されているように、ＭＩＭＯワイヤレスネットワークが超高スループットのネットワーク（ＥＨＴ  ＷＬＡＮなど）である場合、トリガーベースＰＰＤＵ  ３５０は、シングルユーザＰＰＤＵ  １５０に含まれるフィールドと同じフィールドを含むが、ただし、トリガーベースＰＰＤＵ  ３５０におけるＥＨＴ−ＳＴＦは、シングルユーザＰＰＤＵ  １５０におけるＥＨＴ−ＳＴＦより長い持続時間を有することができる。
【００３９】
図１Ａ、図２Ａ、および図３Ａは、上述したシングルユーザＭＩＭＯ通信またはマルチユーザＭＩＭＯ通信のメカニズムを例示する目的で示されていることを理解されたい。簡潔さを目的として、ＡＰ  １０２，２０２，３０２およびＳＴＡ  １０４，１０６，２０４，２０６，２０８，３０４，３０６，３０８の特定の構成要素（送信機、受信機など）は示されていない。
【００４０】
さらに、簡潔さを目的として、図１Ａ、図２Ａ、および図３ＡにおけるＡＰ  １０２，２０２，３０２の各々は、データ送信用の４つのアンテナを含むものとして示されている。ＡＰ  １０２，２０２，３０２が、高スループットを達成するために、より多くのアンテナを含んでもよいことが、当業者には理解されるであろう。例えば、ＭＩＭＯワイヤレスネットワークが、超高スループットのネットワーク（上述したような、空間ストリームの最大数が１６であるＥＨＴ  ＷＬＡＮなど）である場合、ＡＰ  １０２，２０２，３０２の各々は、データ送信用の１６個のアンテナを含むことができる。ＳＴＡ  １０４，１０６，２０４，２０６，２０８，３０４，３０６，３０８の各々が有するアンテナの数は、それに応じて変わりうる。
【００４１】
本開示の実施形態は、上述したシングルユーザＭＩＭＯ通信またはマルチユーザＭＩＭＯ通信におけるチャネル推定のためのさまざまな技術的解決策を提供する。より重要かつ有利な点として、本開示の技術的解決策は、超高スループットのＭＩＭＯワイヤレスネットワーク（空間ストリームの最大数が８から１６に増えるＥＨＴ  ＷＬＡＮなど）におけるチャネル推定に資する。
【００４２】
空間ストリームの最大数が８から１６に増える次世代ＷＬＡＮ（例えば、ＥＨＴ  ＷＬＡＮ）における通信をサポートするために、シングルユーザＰＰＤＵ  １５０、マルチユーザＰＰＤＵ  ２５０、およびトリガーベースＰＰＤＵ  ３５０のＥＨＴ−ＬＴＦが、最大１６個の空間ストリームをサポートする必要がある。
【００４３】
しかしながら、既存の技術におけるさまざまなタイプのＰＰＤＵのロングトレーニングフィールド（ＬＴＦ）は、最大１６個の空間ストリームをサポートすることができない。例えば、ＩＥＥＥ８０２．１１ａｘにおいて導入されたＨＥ  ＷＬＡＮでは、ＨＥ  ＰＰＤＵの高効率ロングトレーニングフィールド（ＨＥ−ＬＴＦ）は、最大８つの空間ストリームのみをサポートすることができるだけである。
【００４４】
空間ストリームの最大数が８から１６に増える次世代ＷＬＡＮ（例えば、ＥＨＴ  ＷＬＡＮ）における通信をサポートするために、本開示は、有利なことに、上述したシングルユーザＭＩＭＯ通信またはマルチユーザＭＩＭＯ通信においてチャネル推定のための最大１６個の空間ストリームをサポートするためにＥＨＴ−ＬＴＦを構築／生成するように構成されている通信装置および通信方法を提供する。
【００４５】
図４は、本開示のさまざまな実施形態に係る、ＭＩＭＯ通信における通信装置４００を部分的に区分けした概略図を示している。通信装置４００は、さまざまな実施形態に係るＡＰ  １０２，２０２，３０２またはＳＴＡ  １０４，１０６，２０４，２０６，２０８，３０４，３０６，３０８として実施されてよい。
【００４６】
図４に示されているように、通信装置４００には、一般に、少なくとも１つの無線送信機４０２と、少なくとも１つの無線受信機４０４と、複数のアンテナ４１２（簡潔さを目的として、図４には例示のために１つのアンテナのみが示されている）と、少なくとも１つの制御器４０６と、が設けられており、制御器４０６は、実行するように設計されているタスク（ＭＩＭＯワイヤレスネットワークにおける１つ以上の他の送信装置との通信の制御を含む）のソフトウェアおよびハードウェア支援実行において使用される。少なくとも１つの制御器４０６は、少なくとも１つの無線送信機４０２を通じて１つ以上の他の通信装置に送信されるＰＰＤＵを生成する少なくとも１つの送信信号生成器４０８と、１つ以上の他の通信装置から少なくとも１つの無線受信機４０４を通じて受信されたＰＰＤＵを処理する少なくとも１つの受信信号処理器４１０と、を制御することができる。少なくとも１つの送信信号生成器４０８および少なくとも１つの受信信号処理器４１０は、図４に示されているように、上述した機能のために少なくとも１つの制御器４０６と通信する、通信装置４００のスタンドアロンモジュールであってよい。これに代えて、少なくとも１つの送信信号生成器４０８および少なくとも１つの受信信号処理器４１０は、少なくとも１つの制御器４０６に含められてもよい。これらの機能モジュールの構成は、フレキシブルであり、実際の必要性および／または要件に応じて変わりうることが、当業者には理解されるであろう。データ処理装置、記憶装置、および他の関連する制御装置が、適切な回路基板および／またはチップセットに設けられてよい。さまざまな実施形態において、動作中、少なくとも１つの無線送信機４０２、少なくとも１つの無線受信機４０４、および少なくとも１つのアンテナ４１２は、少なくとも１つの制御器４０６によって制御されてよい。
【００４７】
図４に示されている実施形態において、少なくとも１つの無線受信機４０４は、少なくとも１つの受信信号処理器４１０とともに、通信装置４００の受信機を形成する。通信装置４００のこの受信機は、動作中、チャネル推定に必要な機能を提供する。
【００４８】
いくつかの実施形態において、少なくとも１つの無線送信機４０２は、動作中、ＭＩＭＯワイヤレスネットワークにおいて１つ以上の他の通信装置にＰＰＤＵを送信することができる。ＰＰＤＵは、１つ以上の他の通信装置が通信装置とのそれぞれの通信用のそれぞれのチャネルを推定することを容易にするＬＴＦ（すなわちＥＨＴ−ＬＴＦ）を含む。
【００４９】
例えば、ダウンリンクシングルユーザＭＩＭＯ通信においては、通信装置４００がＡＰであり、ＭＩＭＯワイヤレスネットワークにおける１つ以上の他の通信装置がＳＴＡである。動作中、ＡＰ  ４００の少なくとも１つの無線送信機４０２は、シングルユーザＰＰＤＵのフォーマットのＰＰＤＵをＳＴＡの受信機に送信する。
【００５０】
同様に、アップリンクシングルユーザＭＩＭＯ通信においては、通信装置４００がＳＴＡであり、ＭＩＭＯワイヤレスネットワークにおける１つ以上の他の通信装置がＡＰである。動作中、ＳＴＡ  ４００の少なくとも１つの無線送信機４０２は、シングルユーザＰＰＤＵのフォーマットのＰＰＤＵをＡＰの受信機に送信する。
【００５１】
ダウンリンクマルチユーザＭＩＭＯ通信においては、通信装置４００がＡＰであり、ＭＩＭＯワイヤレスネットワークにおける１つ以上の他の通信装置が複数のＳＴＡを含む。動作中、ＡＰ  ４００の少なくとも１つの無線送信機４０２は、マルチユーザＰＰＤＵのフォーマットのＰＰＤＵを、複数のＳＴＡの各ＳＴＡの受信機に送信する。
【００５２】
トリガーベースＭＩＭＯ通信においては、通信装置４００がＳＴＡであり、ＭＩＭＯワイヤレスネットワークにおける１つ以上の他の通信装置がＡＰである。動作中、ＳＴＡ  ４００の少なくとも１つの無線送信機４０２は、トリガーベースＰＰＤＵのフォーマットのＰＰＤＵをＡＰの受信機に送信する。
【００５３】
シングルユーザＰＰＤＵ、マルチユーザＰＰＤＵ、またはトリガーベースＰＰＤＵにおいて、ＬＴＦは、シングルユーザ通信またはマルチユーザ通信において、１つ以上の他の通信装置の受信機が、通信装置の送信機とのそれぞれの通信用のそれぞれのチャネルを推定するための複数のＬＴＦシンボルを含む。
【００５４】
本開示において、通信装置４００の少なくとも１つの制御器４０６は、ＰＰＤＵの中のＬＴＦを生成するためのＬＴＦシンボルの数（ＮＬＴＦ）を設定する。
【００５５】
いくつかの例において、ダウンリンクシングルユーザＭＩＭＯ通信およびダウンリンクマルチユーザＭＩＭＯ通信では、ＡＰ  ４００の少なくとも１つの制御器４０６は、シングルユーザＰＰＤＵまたはマルチユーザＰＰＤＵを生成するためにＮＬＴＦを設定するときにＮＬＴＦを決定する。アップリンクシングルユーザＭＩＭＯ通信では、ＳＴＡ  ４００の少なくとも１つの制御器４０６は、シングルユーザＰＰＤＵを生成するためにＮＬＴＦを設定するときにＮＬＴＦを決定する。
【００５６】
いくつかの他の例において、トリガーベースＭＩＭＯ通信では、ＮＬＴＦは、ＡＰの少なくとも１つの制御器によって決定され、上述したようにトリガー情報に含められる。ＳＴＡ  ４００がＡＰからトリガー情報を受信すると、ＳＴＡ  ４００の少なくとも１つの制御器４０６は、トリガー情報からＮＬＴＦを取り出すことによってＮＬＴＦを設定し、トリガーベースＰＰＤＵを生成する。
【００５７】
本開示のさまざまな実施形態において、ＮＬＴＦは、ＰＰＤＵの中の各ＲＵについての時空間ストリーム数の最大値（ＮＳＴＳＭＡＸ）に依存する。すなわち、ＮＳＴＳＭＡＸは、ｒ＝０，．．．，Ｎｒ−１の場合のＮＳＴＳ，ｒ，ｔｏｔａｌの最大値に等しい（Ｎｒは、ＰＰＤＵのデータフィールドの中のＲＵの数である）。上述したように、空間ストリームの最大数が８から１６に増える次世代ＷＬＡＮにおける通信をサポートするために、本開示におけるシングルユーザＰＰＤＵ、マルチユーザＰＰＤＵ、またはトリガーベースＰＰＤＵのＬＴＦは、最大１６個の空間ストリームをサポートする。この点において、ＰＰＤＵの中のＮＳＴＳＭＡＸは、９以上であってよい。
【００５８】
図５は、本開示の第１の実施形態に従ったＮＬＴＦ決定の一例を示している。この例では、（ダウンリンクシングルユーザＭＩＭＯ通信、ダウンリンクマルチユーザＭＩＭＯ通信、およびトリガーベースＭＩＭＯ通信における）ＡＰ  ４００の少なくとも１つの制御器４０６または（アップリンクシングルユーザＭＩＭＯ通信における）ＳＴＡ  ４００の少なくとも１つの制御器４０６は、ＮＳＴＳＭＡＸが偶数であるときには、ＮＬＴＦを、ＰＰＤＵの中のＮＳＴＳＭＡＸに等しいように決定し、ＮＳＴＳＭＡＸが１以外の奇数であるときには、ＮＬＴＦを、ＰＰＤＵの中のＮＳＴＳＭＡＸ＋１に等しいように決定する。
【００５９】
図５のＮＬＴＦ決定テーブル５００に示されているように、ＰＰＤＵの中のＮＳＴＳＭＡＸが、２，４，６，８，１０，１２，１４，または１６などの偶数であるときには、ＮＬＴＦは、ＮＳＴＳＭＡＸ  ２，４，６，８，１０，１２，１４，または１６に等しいように決定される。ＰＰＤＵの中のＮＳＴＳＭＡＸが、３，５，７，９，１１，１３，または１５などの、１以外の奇数であるときには、ＮＬＴＦは、ＮＳＴＳＭＡＸ＋１（すなわち、２，４，６，８，１０，１２，１４，または１６）に等しいように決定される。
【００６０】
この例において、ＭＩＭＯ通信がダウンリンクシングルユーザＭＩＭＯ通信であるときには、ＡＰ  ４００の少なくとも１つの制御器４０６は、シングルユーザＰＰＤＵのフォーマットのＰＰＤＵを生成するときにＳＩＧ−Ａ（すなわちＥＨＴ−ＳＩＧ−Ａ）フィールドの中でＮＳＴＳＭＡＸ（すなわちＮＳＴＳ，ｔｏｔａｌ）を示す。このようにして、ＳＴＡの受信機は、ＳＩＧ−Ａフィールドを復号した後、ＡＰ  ４００との通信に使用可能なチャネルを推定するために、ＮＳＴＳＭＡＸからＮＬＴＦを導出することができる。
【００６１】
ＭＩＭＯ通信がアップリンクシングルユーザＭＩＭＯ通信であるときには、ＳＴＡ  ４００の少なくとも１つの制御器４０６は、シングルユーザＰＰＤＵのフォーマットのＰＰＤＵを生成するときにＳＩＧ−Ａフィールドの中でＮＳＴＳＭＡＸ（すなわちＮＳＴＳ，ｔｏｔａｌ）を示す。このようにして、ＡＰの受信機は、ＳＩＧ−Ａフィールドを復号した後、ＳＴＡ  ４００との通信に使用可能なチャネルを推定するために、ＮＳＴＳＭＡＸからＮＬＴＦを導出することができる。
【００６２】
ＭＩＭＯ通信がダウンリンクマルチユーザＭＩＭＯ通信であるときには、ＡＰ  ４００の少なくとも１つの制御器４０６は、マルチユーザＰＰＤＵのフォーマットのＰＰＤＵを生成するときに、ＳＩＧ−Ａフィールドの中でＮＬＴＦを示し、ＳＩＧ−Ｂ（すなわちＥＨＴ−ＳＩＧ−Ｂ）フィールドの中で各ユーザについてのユーザ固有リソース割当て情報を示す。ユーザ固有リソース割当て情報は、時空間ストリームの数、開始ストリームインデックス、および割り当てられたＲＵを含む。このようにして、ＳＴＡの受信機は、ＡＰ  ４００との通信に使用可能なチャネルを推定するために、ＳＩＧ−Ａフィールドから直接ＮＬＴＦを取り出すことができ、ＳＩＧ−Ｂフィールドから自身のユーザ固有リソース割当て情報を導出することができる。
【００６３】
ＭＩＭＯ通信がトリガーベースＭＩＭＯ通信であるときには、各ユーザについてのユーザ固有リソース割当て情報（例えば、時空間ストリームの数、開始ストリームインデックス、および割り当てられたＲＵ）およびＮＬＴＦが、ＡＰによって決定され、トリガーベースＭＩＭＯ通信に関与するＳＴＡ  ４００の各々に、トリガー情報の中で通知される。トリガー情報は、ＳＴＡ  ４００の各々によって受信されたとき、トリガーベースＭＩＭＯ通信をトリガーする。このシナリオでは、ＳＴＡ  ４００の少なくとも１つの送信信号生成器４０８によって生成される、トリガーベースＰＰＤＵのフォーマットのＰＰＤＵは、ＳＩＧ−Ａフィールドの中にＮＬＴＦおよびユーザ固有リソース割当て情報を含まない。なぜならば、ＡＰは、ＮＬＴＦおよびユーザ固有リソース割当て情報を最初に決定する側であるので、ＡＰは、ＮＬＴＦおよびユーザ固有リソース割当て情報をすでに認識しているからである。
【００６４】
（ダウンリンクシングルユーザＭＩＭＯ通信およびダウンリンクマルチユーザＭＩＭＯ通信における）ＳＴＡの受信機または（アップリンクシングルユーザＭＩＭＯ通信およびトリガーベースＭＩＭＯ通信における）ＡＰの受信機においてＭＩＭＯチャネル推定を可能にするために、すべての時空間ストリームが、以下に定義されているようにＰＬＴＦ行列の１行によってすべてのＬＴＦシンボルのデータトーンにわたって拡散される。異なる時空間ストリームは、ＰＬＴＦ行列の異なる行を使用する。シングルユーザＰＰＤＵ、マルチユーザＰＰＤＵ、またはトリガーベースＰＰＤＵにおけるＬＴＦシンボルがＰＬＴＦ行列に従ってどのように生成されるかは、ＩＥＥＥ８０２．１１ａｘに詳述されている。
【数１】
2022501907.tif 000003
式中、Ｐ４×４，Ｐ６×６，Ｐ８×８は、ＩＥＥＥ８０２．１１ａｃに定義されている行列と同じであってよい。Ｐ１０×１０，Ｐ１２×１２，Ｐ１４×１４，およびＰ１６×１６は、本開示において以下のように定義される。
【数２】
2022501907.tif 000004
（式中、ｗ＝ｅｘｐ（−ｊ２π／１０）である）
【数３】
2022501907.tif 000005
【数４】
2022501907.tif 000006
（式中、w＝ｅｘｐ（−ｊ２π／１４）である）
【数５】
2022501907.tif 000007
【００６５】
図６Ａおよび図６Ｂは、本開示の第２の実施形態に従ったＮＬＴＦ決定の２つの例を示している。この実施形態において、（ダウンリンクシングルユーザＭＩＭＯ通信、ダウンリンクマルチユーザＭＩＭＯ通信、およびトリガーベースＭＩＭＯ通信における）ＡＰ  ４００の少なくとも１つの制御器４０６または（アップリンクシングルユーザＭＩＭＯ通信における）ＳＴＡ  ４００の少なくとも１つの制御器４０６は、ＮＳＴＳＭＡＸがしきい値より小さい奇数であるときには、ＮＬＴＦを、ＰＰＤＵの中のＮＳＴＳＭＡＸ＋１に等しいように決定し、ＮＳＴＳＭＡＸがしきい値以上の奇数であるときには、ＮＬＴＦを、ＰＰＤＵの中のＮＳＴＳＭＡＸに等しいように決定する。さらに、ＰＰＤＵの中のＮＳＴＳＭＡＸが偶数であるときには、（ダウンリンクシングルユーザＭＩＭＯ通信、ダウンリンクマルチユーザＭＩＭＯ通信、およびトリガーベースＭＩＭＯ通信における）ＡＰ  ４００の少なくとも１つの制御器４０６または（アップリンクシングルユーザＭＩＭＯ通信における）ＳＴＡ  ４００の少なくとも１つの制御器４０６は、ＮＬＴＦを、ＮＳＴＳＭＡＸに等しいように決定する。
【００６６】
例えば、図６ＡのＮＬＴＦ決定テーブル６００に示されているように、しきい値は５に設定されてよい。この例では、ＰＰＤＵの中のＮＳＴＳＭＡＸがしきい値５より小さい奇数（３など）であるときには、ＮＬＴＦは、ＮＳＴＳＭＡＸ＋１に等しいように、すなわち４であるように、決定される。ＮＳＴＳＭＡＸがしきい値５以上の奇数（５，７，９，１１，１３，または１５など）であるときには、ＮＬＴＦは、ＮＳＴＳＭＡＸ  ５，７，９，１１，１３，または１５に等しいように決定される。さらに、ＰＰＤＵの中のＮＳＴＳＭＡＸが偶数（２，４，６，８，１０，１２，１４，または１６など）であるときには、ＮＬＴＦは、ＮＳＴＳＭＡＸ  ２，４，６，８，１０，１２，１４，または１６に等しいように決定される。
【００６７】
別の例の場合、図６ＢのＮＬＴＦ決定テーブル６５０に示されているように、しきい値は７に設定されてよい。この例では、ＰＰＤＵの中のＮＳＴＳＭＡＸがしきい値７より小さい奇数（３または５など）であるときには、ＮＬＴＦは、ＮＳＴＳＭＡＸ＋１に等しいように、すなわち４または６であるように、決定される。ＮＳＴＳＭＡＸがしきい値７以上の奇数（７，９，１１，１３，または１５など）であるときには、ＮＬＴＦは、ＮＳＴＳＭＡＸ  ７，９，１１，１３，または１５に等しいように決定される。さらに、ＰＰＤＵの中のＮＳＴＳＭＡＸが偶数（２，４，６，８，１０，１２，１４，または１６など）であるときには、ＮＬＴＦは、ＮＳＴＳＭＡＸ  ２，４，６，８，１０，１２，１４，または１６に等しいように決定される。
【００６８】
図６Ａおよび図６Ｂに示されている実施形態において、（ダウンリンクシングルユーザＭＩＭＯ通信およびダウンリンクマルチユーザＭＩＭＯ通信における）ＳＴＡの受信機または（アップリンクシングルユーザＭＩＭＯ通信およびトリガーベースＭＩＭＯ通信における）ＡＰの受信機におけるＭＩＭＯチャネル推定を可能にするために、すべての時空間ストリームが、以下に定義されているようにＰＬＴＦ行列の１行によってすべてのＬＴＦシンボルのデータトーンにわたって拡散される。異なる時空間ストリームは、ＰＬＴＦ行列の異なる行を使用する。シングルユーザＰＰＤＵ、マルチユーザＰＰＤＵ、またはトリガーベースＰＰＤＵにおけるＬＴＦシンボルがＰＬＴＦ行列に従ってどのように生成されるかは、ＩＥＥＥ８０２．１１ａｘに詳述されている。
しきい値が５であるとき、
【数６】
2022501907.tif 000008
しきい値が７であるとき、
【数７】
2022501907.tif 000009
【００６９】
式（２）および式（３）において、Ｐ４×４，Ｐ６×６，Ｐ８×８，Ｐ１２×１２，およびＰ１６×１６は、上述したものと同じであり、Ｐ５×５，Ｐ７×７，Ｐ９×９，Ｐ１０×１０，Ｐ１１×１１，Ｐ１３×１３，Ｐ１４×１４，およびＰ１５×１５は、本開示において以下のように定義される。
【数８】
2022501907.tif 000010
（式中、ｗ＝ｅｘｐ（−ｊ２π／５）である）
【数９】
2022501907.tif 000011
（式中、ｗ＝ｅｘｐ（−ｊ２π／７）である）
【数１０】
2022501907.tif 000012
（式中、ｗ＝ｅｘｐ（−ｊ２π／９）である）
【数１１】
2022501907.tif 000013
【数１２】
2022501907.tif 000014
（式中、ｗ＝ｅｘｐ（−ｊ２π／１１）である）
【数１３】
2022501907.tif 000015
（式中、ｗ＝ｅｘｐ（−ｊ２π／１３）である）
【数１４】
2022501907.tif 000016
【数１５】
2022501907.tif 000017
（式中、ｗ＝ｅｘｐ（−ｊ２π／１５）である）
【００７０】
上の実施形態では、アップリンクおよびダウンリンクのシングルユーザＭＩＭＯ通信、ダウンリンクマルチユーザＭＩＭＯ通信、およびトリガーベースＭＩＭＯ通信において、ＮＬＴＦを決定または導出することができるように、しきい値は、予め定められてＡＰおよびＳＴＡの両方に記憶されてよい。
【００７１】
これに代えて、しきい値は、ＡＰによって設定可能であってもよい。しきい値が設定可能である場合、ＢＳＳ（基本サービスセット）動作パラメータを運び、ビーコンフレーム、プローブ応答フレーム、アソシエーション応答フレーム、または再アソシエーション応答フレームの中に含めることができる情報要素の中で、しきい値は、ＡＰによって示されてよい。この場合、ＮＬＴＦを決定または導出することができるように、アップリンクシングルユーザＭＩＭＯ通信およびダウンリンクシングルユーザＭＩＭＯ通信において最も直近に受信された情報要素から取り出されたしきい値が、ＳＴＡに記憶される。
【００７２】
チャネル品質は、より大きいＮＳＴＳＭＡＸをサポートするのに十分に良好であるべきであり、したがって、データフィールドにおいてより大きいＮＳＴＳＭＡＸが使用されるとき、ＬＴＦシンボルの数が少なくてもチャネル推定精度は低下しないことに留意されたい。このように、本開示の第２の実施形態によれば、データ送信においてより大きいＮＳＴＳが使用されるときに物理レイヤ（ＰＨＹ）スループットを有利に向上させることができる。
【００７３】
図５、図６Ａ、および図６Ｂに示されている第１の実施形態および第２の実施形態を考慮すると、アップリンクおよびダウンリンクのシングルユーザＭＩＭＯ通信、ダウンリンクマルチユーザＭＩＭＯ通信、およびトリガーベースＭＩＭＯ通信において、ＮＬＴＦを決定または導出することができるように、予め定められてＡＰおよびＳＴＡの両方に記憶されるＮＬＴＦ決定テーブルによって、ＮＳＴＳＭＡＸとＮＬＴＦとの間の対応関係を示すことができる。
【００７４】
これに代えて、本開示に従ったＮＬＴＦ決定の第３の実施形態においては、ＮＳＴＳＭＡＸとＮＬＴＦとの間の対応関係は、予め定められなくてよい。（ダウンリンクシングルユーザＭＩＭＯ通信、ダウンリンクマルチユーザＭＩＭＯ通信、およびトリガーベースＭＩＭＯ通信における）ＡＰ  ４００の少なくとも１つの制御器４０６または（アップリンクシングルユーザＭＩＭＯ通信における）ＳＴＡ  ４００の少なくとも１つの制御器４０６が、各ＰＰＤＵについてＮＬＴＦを決定するときに、ＮＳＴＳＭＡＸとＮＬＴＦとの間の対応関係はケースバイケースで設定可能であってよい。
【００７５】
第３の実施形態において、ＰＰＤＵのデータフィールドの持続時間が、（例えばより高いＭＣＳおよび／またはより大きいＮＳＴＳＭＡＸに起因して）比較的短い場合、ＰＨＹスループットの観点から、ＬＴＦオーバーヘッドを低減することの重要性が、チャネル推定精度を向上させることの重要性よりも高くなる。したがって、ＮＬＴＦは、ＮＳＴＳＭＡＸに等しくてよい。チャネル品質は、より高いＭＣＳおよび／またはより大きいＮＳＴＳＭＡＸをサポートするのに十分に良好であるべきであることに留意されたい。このような場合、データフィールドにおいてより高いＭＣＳおよび／またはより大きいＮＳＴＳＭＡＸが使用されるとき、ＬＴＦシンボルの数が少なくてもチャネル推定精度は低下しない。
【００７６】
一方、ＰＰＤＵのデータフィールドの持続時間が、（例えばより低いＭＣＳおよび／またはより小さいＮＳＴＳＭＡＸに起因して）比較的長い場合、ＰＨＹスループットの観点から、ＬＴＦオーバーヘッドを低減することの重要性が、チャネル推定精度を向上させることの重要性よりも低くなる。したがって、ＮＬＴＦは、ＮＳＴＳＭＡＸより大きくてよい。
【００７７】
第３の実施形態において、ダウンリンクシングルユーザＭＩＭＯ通信におけるＡＰ  ４００の少なくとも１つの制御器４０６またはアップリンクシングルユーザＭＩＭＯ通信におけるＳＴＡ  ４００の少なくとも１つの制御器４０６は、シングルユーザＰＰＤＵのフォーマットのＰＰＤＵを生成するときに、ＳＩＧ−Ａフィールドの中で、ＮＳＴＳＭＡＸ（すなわちＮＳＴＳ，ｔｏｔａｌ）、および、ＮＳＴＳＭＡＸとＮＬＴＦとの間の対応関係の両方を示す。例えば、ＳＩＧ−Ａフィールドにおいて、ＮＬＴＦが、ＮＳＴＳＭＡＸに等しいかまたはＮＳＴＳＭＡＸ＋１に等しいかを示すために、１ビットのシグナリングを用いることができる。同様に、ＮＬＴＦが、ＮＳＴＳＭＡＸに等しいか、ＮＳＴＳＭＡＸ＋１に等しいか、ＮＳＴＳＭＡＸ＋２に等しいか、またはＮＳＴＳＭＡＸ＋３に等しいかを示すために、２ビットのシグナリングを用いることができる。
【００７８】
第３の実施形態において、ＭＩＭＯ通信がダウンリンクマルチユーザＭＩＭＯ通信またはトリガーベースＭＩＭＯ通信であるときには、シグナリング要件は、図５に示されている実施形態において必要とされる要件と同じである。
【００７９】
第３の実施形態は、ＰＨＹスループットを有利にさらに向上させることが、当業者には理解されるであろう。
【００８０】
第３の実施形態において、（ダウンリンクシングルユーザＭＩＭＯ通信およびダウンリンクマルチユーザＭＩＭＯ通信における）ＳＴＡの受信機または（アップリンクシングルユーザＭＩＭＯ通信およびトリガーベースＭＩＭＯ通信における）ＡＰの受信機におけるＭＩＭＯチャネル推定を可能にするために、すべての時空間ストリームが、上に定義されているＰＬＴＦ行列（２）の１行によってすべてのＬＴＦシンボルのデータトーンにわたって拡散される。異なる時空間ストリームは、ＰＬＴＦ行列の異なる行を使用する。シングルユーザＰＰＤＵ、マルチユーザＰＰＤＵ、またはトリガーベースＰＰＤＵにおけるＬＴＦシンボルがＰＬＴＦ行列に従ってどのように生成されるかは、ＩＥＥＥ８０２．１１ａｘに詳述されている。
【００８１】
第３の実施形態は、第１の実施形態または第２の実施形態と組み合わせて使用されてもよい。一例として、ダウンリンクシングルユーザＭＩＭＯ通信におけるＡＰ  ４００の少なくとも１つの制御器４０６またはアップリンクシングルユーザＭＩＭＯ通信におけるＳＴＡ  ４００の少なくとも１つの制御器４０６は、最初に、図５に示されている第１の実施形態または図６Ａおよび図６Ｂに示されている第２の実施形態に従って、ＮＳＴＳＭＡＸに基づいてＮＬＴＦの初期値（すなわちＮＬＴＦ，ｉｎｉ）を決定する。次に、ダウンリンクシングルユーザＭＩＭＯ通信におけるＡＰ  ４００の少なくとも１つの制御器４０６またはアップリンクシングルユーザＭＩＭＯ通信におけるＳＴＡ  ４００の少なくとも１つの制御器４０６は、シングルユーザＰＰＤＵのフォーマットのＰＰＤＵを生成するときに、ＳＩＧ−Ａフィールドの中で、ＮＳＴＳＭＡＸ（すなわちＮＳＴＳ，ｔｏｔａｌ）、および、ＮＬＴＦ，ｉｎｉとＮＬＴＦとの間の対応関係の両方を示す。例えば、ＳＩＧ−Ａフィールドにおいて、ＮＬＴＦが、ＮＬＴＦ，ｉｎｉに等しいかまたはＮＬＴＦ，ｉｎｉ＋１に等しいかを示すために、１ビットのシグナリングを用いることができる。同様に、ＮＬＴＦが、ＮＬＴＦ，ｉｎｉに等しいか、ＮＬＴＦ，ｉｎｉ＋１に等しいか、ＮＬＴＦ，ｉｎｉ＋２に等しいか、またはＮＬＴＦ，ｉｎｉ＋３に等しいかを示すために、２ビットのシグナリングを用いることができる。
【００８２】
別の例において、ダウンリンクシングルユーザＭＩＭＯ通信におけるＡＰ  ４００の少なくとも１つの制御器４０６またはアップリンクシングルユーザＭＩＭＯ通信におけるＳＴＡ  ４００の少なくとも１つの制御器４０６は、シングルユーザＰＰＤＵのフォーマットのＰＰＤＵを生成するときに、ＳＩＧ−Ａフィールドの中で、ＮＳＴＳＭＡＸ（すなわちＮＳＴＳ，ｔｏｔａｌ）およびしきい値の両方を示す。例えば、ＳＩＧ−Ａフィールドにおいて、しきい値が、３であるかまたは５であるかを示すために、１ビットのシグナリングを用いることができる。これにより、図６Ａまたは図６Ｂに示されているＮＬＴＦ決定テーブルに従って、ＳＩＧ−Ａフィールドの中のＮＳＴＳＭＡＸおよびしきい値からＮＬＴＦを導出することができる。
【００８３】
図７は、図６Ａおよび図６Ｂに示されている第２の実施形態に従って、通信装置においてＰＰＤＵの中のＬＴＦを生成する例示的なフロー図を示している。このフロー図は、アップリンクシングルユーザＭＩＭＯ通信、ダウンリンクシングルユーザＭＩＭＯ通信、およびダウンリンクマルチユーザＭＩＭＯ通信においてチャネル推定を容易にするのに適している。ダウンリンクシングルユーザＭＩＭＯ通信およびダウンリンクマルチユーザＭＩＭＯ通信では、通信装置はＡＰである。アップリンクシングルユーザＭＩＭＯ通信では、通信装置はＳＴＡである。
【００８４】
ステップ７０２において、通信装置は、ＰＰＤＵの中のＮＳＴＳＭＡＸを決定する。ＰＰＤＵは、アップリンクおよびダウンリンクのシングルユーザＭＩＭＯ通信ではシングルユーザＰＰＤＵであってよく、ダウンリンクマルチユーザＭＩＭＯ通信ではマルチユーザＰＰＤＵであってよい。
【００８５】
ステップ７０４において、通信装置は、しきい値およびＮＳＴＳＭＡＸに基づいてＮＬＴＦを決定することによってＮＬＴＦを設定する。ＮＬＴＦの決定の詳細については、図６Ａおよび図６Ｂに関連して説明されている。
【００８６】
ステップ７０６において、通信装置は、ＮＬＴＦに基づいてＰＬＴＦ行列を決定する。ＰＬＴＦ行列は、ＮＬＴＦに基づいて、所定のＰＬＴＦ行列から選択されてよい。ステップ７０８において、通信装置は、ＰＬＴＦ行列、ＮＬＴＦ、およびＮＳＴＳＭＡＸに基づいてＬＴＦを生成する。その後、生成されたＬＴＦは、ＰＰＤＵの中の他のフィールドと一緒に、通信装置の無線送信機によって送信される。
【００８７】
上のステップ７０２、ステップ７０４、ステップ７０６、およびステップ７０８は、通信装置の同じ構成要素または異なる構成要素によって実行されてよいことが理解されるであろう。例えば、上のステップ７０２、ステップ７０４、ステップ７０６、およびステップ７０８は、通信装置の制御器、通信装置の送信信号処理器、または実際に適切とみなされる通信装置の任意の他の構成要素によって実行されてよい。
【００８８】
図８は、図６Ａおよび図６Ｂに示されている第２の実施形態に従って、ダウンリンクまたはアップリンクのシングルユーザＭＩＭＯ通信の際に、通信装置においてチャネルを推定するフロー図を示している。ダウンリンクシングルユーザＭＩＭＯ通信では、通信装置はＳＴＡである。アップリンクシングルユーザＭＩＭＯ通信では、通信装置はＡＰである。
【００８９】
ステップ８０２において、通信装置は、受信されたＰＰＤＵの中のシグナリング情報フィールドからＮＳＴＳＭＡＸ（すなわちＮＳＴＳ，ｔｏｔａｌ）を取り出す。受信されたＰＰＤＵは、シングルユーザＰＰＤＵであってよい。シグナリング情報フィールドは、上述したように、シングルユーザＰＰＤＵのＳＩＧ−Ａフィールドであってよい。
【００９０】
ステップ８０４において、通信装置は、しきい値およびＮＳＴＳＭＡＸに基づいてＮＬＴＦを決定する。ＮＬＴＦの決定の詳細については、図６Ａおよび図６Ｂに関連して説明されている。
【００９１】
ステップ８０６において、通信装置は、ＮＬＴＦに基づいてＰＬＴＦ行列を決定する。ＰＬＴＦ行列は、ＮＬＴＦに基づいて、所定のＰＬＴＦ行列から選択されてよい。ステップ８０８において、通信装置は、シングルユーザＭＩＭＯ通信において、ＰＬＴＦ行列、ＮＬＴＦ、およびＮＳＴＳＭＡＸに基づいて、受信されたＰＰＤＵのＬＴＦを使用してチャネル推定を実行する。
【００９２】
上のステップ８０２、ステップ８０４、ステップ８０６、およびステップ８０８は、通信装置の同じ構成要素または異なる構成要素によって実行されてよいことが理解されるであろう。例えば、上のステップ８０２、ステップ８０４、ステップ８０６、およびステップ８０８は、通信装置の制御器、通信装置の受信機、または実際に適切とみなされる通信装置の任意の他の構成要素によって実行されてよい。
【００９３】
図９は、図６Ａおよび図６Ｂに示されている第２の実施形態に従って、ダウンリンクマルチユーザＭＩＭＯ通信の際に、ＳＴＡにおいてチャネルを推定するフロー図を示している。
【００９４】
ステップ９０２において、ＳＴＡは、ＡＰから受信されたＰＰＤＵの中のシグナリング情報フィールドからＮＬＴＦを取り出す。ＰＰＤＵは、マルチユーザＰＰＤＵであってよい。シグナリング情報フィールドは、上述したように、マルチユーザＰＰＤＵのＳＩＧ−Ａフィールドであってよい。
【００９５】
ステップ９０４において、ＳＴＡは、後続のチャネル推定のために、ＮＬＴＦに基づいてＰＬＴＦ行列を決定する。ＰＬＴＦ行列は、ＮＬＴＦに基づいて、所定のＰＬＴＦ行列から選択されてよい。
【００９６】
ステップ９０６において、ＳＴＡは、マルチユーザＰＰＤＵの中の別のシグナリング情報から、自身のユーザ固有リソース割当て情報を決定する。この別のシグナリング情報フィールドは、マルチユーザＰＰＤＵのＳＩＧ−Ｂフィールドであってよい。ユーザ固有リソース割当て情報は、時空間ストリームの数、開始ストリームインデックス、および割り当てられたＲＵを含む。
【００９７】
ステップ９０８において、ＳＴＡは、ＰＬＴＦ行列、ＮＬＴＦ、および自身のユーザ固有リソース割当て情報に基づいて、受信されたＰＰＤＵのＬＴＦを使用してチャネル推定を実行する。
【００９８】
上のステップ９０２、ステップ９０４、ステップ９０６、およびステップ９０８は、ＳＴＡの同じ構成要素または異なる構成要素によって実行されてよいことが理解されるであろう。例えば、上のステップ９０２、ステップ９０４、ステップ９０６、およびステップ９０８は、ＳＴＡの制御器、ＳＴＡの受信機、または実際に適切とみなされるＳＴＡの任意の他の構成要素によって実行されてよい。
【００９９】
図１０は、図６Ａおよび図６Ｂに示されている第２の実施形態に従って、ＳＴＡにおいてＰＰＤＵの中のＬＴＦを生成するフロー図を示している。このフロー図は、トリガーベースＭＩＭＯ通信においてチャネル推定を容易にするのに適している。
【０１００】
ステップ１００２において、ＳＴＡは、ＡＰからトリガー情報を受信する。トリガー情報は、トリガーベースＭＩＭＯ通信をトリガーする。
【０１０１】
ステップ１００４において、ＳＴＡは、トリガー情報からＮＬＴＦを取り出すことによってＮＬＴＦを設定する。ＳＴＡはまた、トリガー情報から自身のユーザ固有リソース割当て情報も取り出す。
【０１０２】
図１０に示されているように、トリガー情報の中のＮＬＴＦは、ステップ１００１においてＡＰによって決定される。ステップ１００１は、２つのサブステップ１００１ａおよび１００１ｂを含む。
ａ．ステップ１００１ａにおいて、ＡＰは、ＰＰＤＵの中のＮＳＴＳＭＡＸを決定する。
ｂ．ステップ１００１ｂにおいて、ＡＰは、しきい値およびＮＳＴＳＭＡＸに基づいてＮＬＴＦを決定することによってＮＬＴＦを設定する。
【０１０３】
ステップ１００６において、ＳＴＡは、後続のトリガーベースＰＰＤＵの生成のために、ＮＬＴＦに基づいてＰＬＴＦ行列を決定する。ＰＬＴＦ行列は、ＮＬＴＦに基づいて、所定のＰＬＴＦ行列から選択されてよい。
【０１０４】
ステップ１００８において、ＳＴＡは、ＰＬＴＦ行列、ＮＬＴＦ、および自身のユーザ固有リソース割当て情報に基づいてＬＴＦを生成する。
【０１０５】
その後、生成されたＬＴＦは、ＰＰＤＵの中の他のフィールドと一緒に、トリガーベースＭＩＭＯ通信におけるチャネル推定のために、ＳＴＡの無線送信機によってＡＰに送信される。
【０１０６】
上のステップ１００２、ステップ１００４、ステップ１００６、およびステップ１００８は、ＳＴＡの同じ構成要素または異なる構成要素によって実行されてよいことが理解されるであろう。例えば、上のステップ１００２、ステップ１００４、ステップ１００６、およびステップ１００８は、ＳＴＡの制御器、ＳＴＡの送信信号生成器、または実際に適切とみなされるＳＴＡの任意の他の構成要素によって実行されてよい。
【０１０７】
図１１は、図６Ａおよび図６Ｂに示されている第２の実施形態に従って、トリガーベースＭＩＭＯ通信の際に、ＡＰにおいてチャネルを推定するフロー図を示している。
【０１０８】
ステップ１１０２において、ＡＰは、ステップ１００１ｂにおいて決定されたＮＬＴＦに基づいてＰＬＴＦ行列を決定する。ＰＬＴＦ行列は、ＮＬＴＦに基づいて、所定のＰＬＴＦ行列から選択されてよい。
【０１０９】
ステップ１１０４において、ＡＰは、トリガーベースＭＩＭＯ通信における各ユーザ／ＳＴＡを対象に、ＰＬＴＦ行列および各ユーザについてのユーザ固有リソース割当て情報に基づいて、受信されたＰＰＤＵのＬＴＦを使用してチャネル推定を実行する。受信されたＰＰＤＵは、トリガーベースＰＰＤＵであってよい。ユーザ固有リソース割当て情報は、割り当てられたＲＵ、時空間ストリームの数、および開始ストリームインデックスを含む。
【０１１０】
上のステップ１１０２およびステップ１１０４は、ＡＰの同じ構成要素または異なる構成要素によって実行されてよいことが理解されるであろう。例えば、上のステップ１１０２およびステップ１１０４は、ＡＰの制御器、ＡＰの受信機、または実際に適切とみなされるＡＰの任意の他の構成要素によって実行されてよい。
【０１１１】
図１２は、上述した第３の実施形態（図示せず）に従って、通信装置においてＰＰＤＵの中のＬＴＦを生成するフロー図を示している。このフロー図は、アップリンクシングルユーザＭＩＭＯ通信、ダウンリンクシングルユーザＭＩＭＯ通信、およびダウンリンクマルチユーザＭＩＭＯ通信においてチャネル推定を容易にするのに適している。ダウンリンクシングルユーザＭＩＭＯ通信およびダウンリンクマルチユーザＭＩＭＯ通信では、通信装置はＡＰである。アップリンクシングルユーザＭＩＭＯ通信では、通信装置はＳＴＡである。
【０１１２】
ステップ１２０２において、通信装置は、ＰＰＤＵの中のＮＳＴＳＭＡＸを決定する。ＰＰＤＵは、アップリンクシングルユーザＭＩＭＯ通信およびダウンリンクシングルユーザＭＩＭＯ通信ではシングルユーザＰＰＤＵであってよく、ダウンリンクマルチユーザＭＩＭＯ通信ではマルチユーザＰＰＤＵであってよい。
【０１１３】
ステップ１２０４において、通信装置は、ＮＳＴＳＭＡＸとＰＰＤＵの中のデータフィールドの持続時間とに基づいてＮＬＴＦを決定することによって、ＮＬＴＦを設定する。ＮＬＴＦの決定の詳細については、本開示の第３の実施形態に関連して説明されている。
【０１１４】
ステップ１２０６において、通信装置は、ＮＬＴＦに基づいてＰＬＴＦ行列を決定する。ＰＬＴＦ行列は、ＮＬＴＦに基づいて、所定のＰＬＴＦ行列から選択されてよい。
【０１１５】
ステップ１２０８において、通信装置は、ＰＬＴＦ行列、ＮＬＴＦ、およびＮＳＴＳＭＡＸに基づいてＬＴＦを生成する。その後、生成されたＬＴＦは、ＰＰＤＵの中の他のフィールドと一緒に、通信装置の無線送信機によって送信される。
【０１１６】
上のステップ１２０２、ステップ１２０４、ステップ１２０６、およびステップ１２０８は、通信装置の同じ構成要素または異なる構成要素によって実行されてよいことが理解されるであろう。例えば、上のステップ１２０２、ステップ１２０４、ステップ１２０６、およびステップ１２０８は、通信装置の制御器、通信装置の送信信号生成器、または実際に適切とみなされる通信装置の任意の他の構成要素によって実行されてよい。
【０１１７】
図１３は、上述した第３の実施形態に従って、アップリンクシングルユーザＭＩＭＯ通信およびダウンリンクシングルユーザＭＩＭＯ通信の際に、通信装置においてチャネルを推定するフロー図を示している。ダウンリンクシングルユーザＭＩＭＯ通信では、通信装置はＳＴＡである。アップリンクシングルユーザＭＩＭＯ通信では、通信装置はＡＰである。
【０１１８】
ステップ１３０２において、通信装置は、受信されたＰＰＤＵの中のシグナリング情報フィールドからＮＳＴＳＭＡＸおよびＮＬＴＦを取り出す。受信されたＰＰＤＵは、シングルユーザＰＰＤＵであってよい。シグナリング情報フィールドは、上述したように、シングルユーザＰＰＤＵのＳＩＧ−Ａフィールドであってよい。
【０１１９】
ステップ１３０４において、通信装置は、ＮＬＴＦに基づいてＰＬＴＦ行列を決定する。ＰＬＴＦ行列は、ＮＬＴＦに基づいて、所定のＰＬＴＦ行列から選択されてよい。
【０１２０】
ステップ１３０６において、通信装置は、ダウンリンクシングルユーザＭＩＭＯ通信またはアップリンクシングルユーザＭＩＭＯ通信において、ＰＬＴＦ行列、ＮＬＴＦ、およびＮＳＴＳＭＡＸに基づいて、受信されたＰＰＤＵのＬＴＦを使用してチャネル推定を実行する。
【０１２１】
上のステップ１３０２、ステップ１３０４、およびステップ１３０６は、通信装置の同じ構成要素または異なる構成要素によって実行されてよいことが理解されるであろう。例えば、上のステップ１３０２、ステップ１３０４、およびステップ１３０６は、通信装置の制御器、通信装置の受信機、または実際に適切とみなされる通信装置の任意の他の構成要素によって実行されてよい。
【０１２２】
図１４は、第３の実施形態に従って、ダウンリンクマルチユーザＭＩＭＯ通信の際に、ＳＴＡにおいてチャネルを推定するフロー図を示している。
【０１２３】
ステップ１４０２、１４０４、１４０６、および１４０８は、図９に関連して説明したステップ９０２、ステップ９０４、ステップ９０６、およびステップ９０８と同じである。
【０１２４】
図１５は、第３の実施形態に従って、ＳＴＡにおいてＰＰＤＵの中のＬＴＦを生成するフロー図を示している。このフロー図は、トリガーベースＭＩＭＯ通信においてチャネル推定を容易にするのに適している。
【０１２５】
ステップ１５０２において、ＳＴＡは、ＡＰからトリガー情報を受信する。トリガー情報は、トリガーベースＭＩＭＯ通信をトリガーする。
【０１２６】
ステップ１５０４において、ＳＴＡは、トリガー情報からＮＬＴＦおよび自身のユーザ固有リソース割当て情報を取り出す。
【０１２７】
図１５に示されているように、トリガー情報の中のＮＬＴＦは、ステップ１５０１においてＡＰによって決定される。ステップ１５０１は、２つのサブステップ１５０１ａおよび１５０１ｂを含む。
ａ．ステップ１５０１ａにおいて、ＡＰは、ＰＰＤＵの中のＮＳＴＳＭＡＸを決定する。
ｂ．ステップ１５０１ｂにおいて、ＡＰは、ＮＳＴＳＭＡＸとＰＰＤＵの中のデータフィールドの持続時間とに基づいてＮＬＴＦを決定することによって、ＮＬＴＦを設定する。
【０１２８】
ステップ１５０６において、ＳＴＡは、後続のＬＴＦ生成のために、ＮＬＴＦに基づいてＰＬＴＦ行列を決定する。ＰＬＴＦ行列は、ＮＬＴＦに基づいて、所定のＰＬＴＦ行列から選択されてよい。
【０１２９】
ステップ１５０８において、ＳＴＡは、ＰＬＴＦ行列、ＮＬＴＦ、および自身のユーザ固有リソース割当て情報に基づいてＬＴＦを生成する。
【０１３０】
その後、生成されたＬＴＦは、ＰＰＤＵの中の他のフィールドと一緒に、トリガーベースＭＩＭＯ通信におけるチャネル推定のために、ＳＴＡの無線送信機によってＡＰに送信される。
【０１３１】
上のステップ１５０２、ステップ１５０４、ステップ１５０６、およびステップ１５０８は、ＳＴＡの同じ構成要素または異なる構成要素によって実行されてよいことが理解されるであろう。例えば、上のステップ１５０２、ステップ１５０４、ステップ１５０６、およびステップ１５０８は、ＳＴＡの制御器、ＳＴＡの送信信号生成器、または実際に適切とみなされるＳＴＡの任意の他の構成要素によって実行されてよい。
【０１３２】
図１６は、第３の実施形態に従って、トリガーベースＭＩＭＯ通信の際に、ＡＰにおいてチャネルを推定するフロー図を示している。
【０１３３】
ステップ１６０２およびステップ１６０４は、図１１に関連して説明したステップ１１０２およびステップ１１０４と同じである。
【０１３４】
図１７は、上述したさまざまな実施形態に従った、シングルユーザＭＩＭＯ通信およびマルチユーザＭＩＭＯ通信における通信装置の別の概略的な例を示している。この通信装置は、ＡＰの役割を果たすことができる。
【０１３５】
図４に示されている通信装置の概略的な例と同様に、図１７の概略的な例における通信装置１７００は、少なくとも１つの無線送信機１７０２と、少なくとも１つの無線受信機１７０４と、複数のアンテナ１７１２（簡潔さを目的として、図１７には１つのアンテナのみが示されている）と、少なくとも１つの制御器１７０６と、を含み、制御器１７０６は、実行するように設計されているタスク（ＭＩＭＯワイヤレスネットワークにおける１つ以上の他の送信装置との通信の制御を含む）のソフトウェアおよびハードウェア支援実行において使用される。少なくとも１つの制御器１７０６は、ダウンリンクシングルユーザＭＩＭＯ通信およびダウンリンクマルチユーザＭＩＭＯ通信において無線送信機１７０２を通じて１つ以上の他の通信装置に送信されるＰＰＤＵを生成する少なくとも１つの送信信号生成器１７０８と、アップリンクシングルユーザＭＩＭＯ通信およびトリガーベースＭＩＭＯ通信において１つ以上の他の通信装置から無線受信機１７０４を通じて受信されたＰＰＤＵを処理する少なくとも１つの受信信号処理器１７１０と、を制御することができる。ＡＰ  １７００の少なくとも１つの制御器１７０６は、トリガーベースＭＩＭＯ通信のためのトリガー情報を運ぶＰＰＤＵの生成を制御するためにも使用されてよい。少なくとも１つの送信信号生成器１７０８および少なくとも１つの受信信号処理器１７１０は、図１７に示されているように、上述した機能のために少なくとも１つの制御器１７０６と通信する、通信装置１７００のスタンドアロンモジュールであってよい。これに代えて、少なくとも１つの送信信号生成器１７０８および少なくとも１つの受信信号処理器１７１０は、少なくとも１つの制御器１７０６に含められてもよい。これらの機能モジュールの構成は、フレキシブルであり、実際の必要性および／または要件に応じて変わりうることが、当業者には理解されるであろう。データ処理装置、記憶装置、および他の関連する制御装置が、適切な回路基板および／またはチップセットに設けられてよい。さまざまな実施形態において、動作中、少なくとも１つの無線送信機１７０２、少なくとも１つの無線受信機１７０４、および少なくとも１つのアンテナ１７１２は、少なくとも１つの制御器１７０６によって制御されてよい。
【０１３６】
ＡＰ  １７００の少なくとも１つの制御器１７０６は、ＮＬＴＦ決定器１７４２と、スケジューラ１７１４と、制御情報解析器１７１６と、を含むことができる。スケジューラ１７１４は、動作中、ダウンリンクマルチユーザＭＩＭＯ通信およびトリガーベースＭＩＭＯ通信において各ユーザ／ＳＴＡについてのユーザ固有リソース割当て情報（例えば、時空間ストリームの数、開始ストリームインデックス、および割り当てられたＲＵ）を生成するように、または、ダウンリンクシングルユーザＭＩＭＯ通信においてユーザについてのユーザ固有リソース割当て情報（例えば、時空間ストリームの数）を生成するように、構成されてよい。ＮＬＴＦ決定器１７４２は、動作中、ダウンリンクＭＩＭＯ通信、トリガーベースＭＩＭＯ通信、およびダウンリンクシングルユーザＭＩＭＯ通信においてユーザ固有リソース割当て情報に基づいてＰＰＤＵの中のＬＴＦを生成するためのＮＬＴＦを決定するように構成されてよい。制御情報解析器１７１６は、受信信号処理器１７１０と協働してチャネル推定およびデータ復調を制御するように構成されてよい。
【０１３７】
少なくとも１つの送信信号生成器１７０８は、ＰＬＴＦ行列生成器１７１８と、トリガー情報生成器１７２０と、ＬＴＦ生成器１７２２と、ＰＰＤＵ生成器１７２４と、を含むことができる。ＰＬＴＦ行列生成器１７１８は、動作中、ＮＬＴＦ生成器１７４２によって提供されたＮＬＴＦに基づいてＰＬＴＦ行列を決定することができる。ＬＴＦ生成器１７２２は、動作中、ＰＬＴＦ行列生成器１７１８によって生成されたＰＬＴＦ行列と、ＮＬＴＦ生成器１７４２によって提供されたＮＬＴＦと、スケジューラ１７１４によって提供されたユーザ固有リソース割当て情報と、に基づいて、ＬＴＦを生成することができる。ＰＰＤＵ生成器１７２４は、動作中、スケジューラ１７１４によって提供されたユーザ固有リソース割当て情報に従って、ＬＴＦ生成器１７２２によって生成されたＬＴＦを含むＰＰＤＵを生成することができる。
【０１３８】
少なくとも１つの受信信号処理器１７１０は、ＰＬＴＦ行列生成器１７２６と、データ復調器・復号器１７２８と、チャネル推定器１７３０と、制御情報復調器・復号器１７３２と、を含むことができる。制御情報復調器・復号器１７３２は、動作中、無線受信機１７０４を通じて受信されたシングルユーザＰＰＤＵまたはトリガーベースＰＰＤＵのＳＩＧ−Ａフィールドを復調および／または復号することができる。制御情報解析器１７１６は、シングルユーザＰＰＤＵの場合にはＳＩＧ−ＡフィールドからＮＳＴＳＭＡＸ、ＮＬＴＦ、およびユーザ固有リソース割当て情報を決定し、トリガーベースＰＰＤＵの場合にはスケジューラ１７１４からＮＳＴＳＭＡＸ、ＮＬＴＦ、および各ユーザについてのユーザ固有リソース割当て情報を取得する。ＰＬＴＦ行列生成器１７２６は、制御情報解析器１７１６によって提供されたＮＬＴＦに基づいてＰＬＴＦ行列を生成することができる。チャネル推定器１７３０は、制御情報解析器１７１６によって提供されたＮＳＴＳＭＡＸ、ＮＬＴＦ、およびユーザ固有リソース割当て情報と、ＰＬＴＦ行列生成器１７２６によって生成されたＰＬＴＦ行列と、に基づいて、受信されたＰＰＤＵのＬＴＦを使用してチャネル推定を実行することができる。データ復調器・復号器１７２８は、動作中、制御情報解析器１７１６によって提供されたユーザ固有リソース割当て情報と、チャネル推定器１７３０によって提供された推定されたＭＩＭＯチャネルと、に基づいて、受信されたＰＰＤＵのデータフィールドを復調および／または復号することができる。
【０１３９】
図１８は、上述したさまざまな実施形態に従った、シングルユーザＭＩＭＯ通信およびマルチユーザＭＩＭＯ通信における通信装置の別の概略的な例を示している。この通信装置は、ＳＴＡの役割を果たすことができる。
【０１４０】
図４および図１７に示されている通信装置の概略的な例と同様に、図１８における通信装置１８００は、少なくとも１つの無線送信機１８０２と、少なくとも１つの無線受信機１８０４と、複数のアンテナ１８１２（簡潔さを目的として、図１８には１つのアンテナのみが示されている）と、少なくとも１つの制御器１８０６と、を含み、制御器１８０６は、実行するように設計されているタスク（ＭＩＭＯワイヤレスネットワークにおける１つ以上の他の送信装置との通信の制御を含む）のソフトウェアおよびハードウェア支援実行において使用される。少なくとも１つの制御器１８０６は、アップリンクシングルユーザＭＩＭＯ通信およびトリガーベースＭＩＭＯ通信において無線送信機１８０２を通じて１つ以上の他の通信装置に送信されるＰＰＤＵを生成する少なくとも１つの送信信号生成器１８０８と、ダウンリンクシングルユーザＭＩＭＯ通信およびダウンリンクマルチユーザＭＩＭＯ通信において１つ以上の他の通信装置から無線受信機１８０４を通じて受信されたＰＰＤＵを処理する少なくとも１つの受信信号処理器１８１０と、を制御することができる。少なくとも１つの送信信号生成器１８０８および少なくとも１つの受信信号処理器１８１０は、図１８に示されているように、上述した機能のために少なくとも１つの制御器１８０６と通信する、通信装置１８００のスタンドアロンモジュールであってよい。これに代えて、少なくとも１つの送信信号生成器１８０８および少なくとも１つの受信信号処理器１８１０は、少なくとも１つの制御器１８０６に含められてもよい。これらの機能モジュールの構成は、フレキシブルであり、実際の必要性および／または要件に応じて変わりうることが、当業者には理解されるであろう。データ処理装置、記憶装置、および他の関連する制御装置が、適切な回路基板および／またはチップセットに設けられてよい。さまざまな実施形態において、動作中、少なくとも１つの無線送信機１８０２、少なくとも１つの無線受信機１８０４、および少なくとも１つのアンテナ１８１２は、少なくとも１つの制御器１８０６によって制御されてよい。
【０１４１】
ＳＴＡ  １８００の少なくとも１つの制御器１８０６は、ＮＬＴＦ決定器１８４２と、スケジューラ１８１４と、制御情報解析器１８１６と、トリガー情報解析器１８２２と、を含むことができる。スケジューラ１８１４は、動作中、アップリンクシングルユーザＭＩＭＯ通信においてユーザについてのユーザ固有リソース割当て情報（例えば、時空間ストリームの数）を生成するように構成されてよい。ＮＬＴＦ決定器１８４２は、動作中、アップリンクシングルユーザＭＩＭＯ通信においてユーザ固有リソース割当て情報に基づいてＰＰＤＵの中のＬＴＦを生成するためのＮＬＴＦを決定するように構成されてよい。制御情報解析器１８１６は、受信信号処理器１８１０と協働してチャネル推定およびデータ復調を制御するように構成されてよい。トリガー情報解析器１８２２は、動作中、制御情報解析器１８１６の支援下で、受信信号処理器１８１０および無線受信機１８０４を通じて受信されたトリガー情報から、ＮＬＴＦおよび自身のユーザ固有リソース割当て情報を取り出すように構成されてよい。
【０１４２】
少なくとも１つの送信信号生成器１８０８は、ＰＬＴＦ行列生成器１８１８と、ＬＴＦ生成器１８２０と、ＰＰＤＵ生成器１８２４と、を含むことができる。ＰＬＴＦ行列生成器１８１８は、動作中、アップリンクシングルユーザＭＩＭＯ通信においてＮＬＴＦ生成器１８４２によって提供されたまたはトリガーベースＭＩＭＯ通信においてトリガー情報解析器１８２２によって提供されたＮＬＴＦに基づいて、ＰＬＴＦ行列を決定することができる。ＬＴＦ生成器１８２０は、動作中、ＰＬＴＦ行列生成器１８１８によって生成されたＰＬＴＦ行列と、ＮＬＴＦ生成器１８４２によって提供されたＮＬＴＦと、アップリンクシングルユーザＭＩＭＯ通信においてスケジューラ１８１４によって提供されたユーザ固有リソース割当て情報またはトリガーベースＭＩＭＯ通信においてトリガー情報解析器１８２２によって提供された自身のユーザ固有リソース割当て情報と、に基づいて、ＬＴＦを生成することができる。ＰＰＤＵ生成器１８２４は、動作中、シングルユーザＭＩＭＯ通信においてスケジューラ１８１４によって提供されたユーザ固有リソース割当て情報またはトリガーベースＭＩＭＯ通信においてトリガー情報解析器１８２２によって提供された自身のユーザ固有リソース割当て情報に従って、ＬＴＦ生成器１８２０によって生成されたＬＴＦを含むＰＰＤＵを生成することができる。
【０１４３】
少なくとも１つの受信信号処理器１８１０は、ＰＬＴＦ行列生成器１８２６と、データ復調器・復号器１８２８と、チャネル推定器１８３０と、制御情報復調器・復号器１８３２と、を含むことができる。制御情報復調器・復号器１８３２は、動作中、無線受信機１８０４を通じて受信されたシングルユーザＰＰＤＵのＳＩＧ−ＡフィールドまたはマルチユーザＰＰＤＵのＳＩＧ−ＡフィールドおよびＳＩＧ−Ｂフィールドの両方を、復調および／または復号することができる。制御情報解析器１８１６は、シングルユーザＰＰＤＵの場合にはＳＩＧ−Ａフィールドから、マルチユーザＰＰＤＵの場合にはＳＩＧ−ＡフィールドおよびＳＩＧ−Ｂフィールドの両方から、ＮＳＴＳＭＡＸ、ＮＬＴＦ、および自身のユーザ固有リソース割当て情報を決定する。ＰＬＴＦ行列生成器１８２６は、制御情報解析器１８１６によって提供されたＮＬＴＦに基づいてＰＬＴＦ行列を生成することができる。チャネル推定器１８３０は、制御情報解析器１８１６によって提供されたＮＳＴＳＭＡＸ、ＮＬＴＦ、および自身のユーザ固有リソース割当て情報と、ＰＬＴＦ行列生成器１８２６によって生成されたＰＬＴＦ行列と、に基づいて、受信されたＰＰＤＵのＬＴＦを使用してチャネル推定を実行することができる。データ復調器・復号器１８２８は、動作中、制御情報解析器１８１６によって提供された自身のユーザ固有リソース割当て情報と、チャネル推定器１８３０によって提供された推定されたＭＩＭＯチャネルと、に基づいて、受信されたＰＰＤＵのデータフィールドを復調および／または復号することができる。
【０１４４】
上述したように、本開示の実施形態は、超高スループットのＭＩＭＯ  ＷＬＡＮネットワークにおいてシングルユーザ通信およびマルチユーザ通信の両方におけるチャネル推定を可能にし、かつ、ＭＩＭＯ  ＷＬＡＮネットワークにおける物理レイヤスループットを向上させる高度な通信システム、通信方法、および通信装置を提供する。
【０１４５】
本開示は、ソフトウェアによって、ハードウェアによって、またはハードウェアと協働するソフトウェアによって、実施することができる。上述した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩは、チップとして個別に形成する、または、機能ブロックの一部またはすべてが含まれるように１個のチップを形成することができる。ＬＳＩは、自身に結合されたデータ入出力部を含むことができる。ＬＳＩは、集積度の違いに応じて、ＩＣ、システムＬＳＩ、スーパーＬＳＩ、またはウルトラＬＳＩとも称される。しかしながら、集積回路を実施する技術は、ＬＳＩに限定されず、専用回路、汎用プロセッサ、または専用プロセッサを使用することによって実施することができる。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実施することができる。半導体技術または別の派生技術が進歩する結果として、ＬＳＩが将来の集積回路技術に置き換わる場合、その将来の集積回路技術を使用して機能ブロックを集積化することができる。バイオテクノロジを適用することもできる。
【０１４６】
本開示は、通信機能を有する任意の種類の装置、デバイス、またはシステム（通信装置と称される）によって実施することができる。
【０１４７】
通信装置は、送受信機および処理／制御回路を備えることができる。送受信機は、受信機および送信機を備えることができる、かつ／または、受信機および送信機として機能することができる。（送信機および受信機としての）送受信機は、増幅器と、ＲＦ変調器／復調器などと、１つ以上のアンテナと、を含むＲＦ（無線周波数）モジュールを含むことができる。
【０１４８】
このような通信装置の非限定的ないくつかの例としては、電話（例えば、携帯電話、スマートフォン）、タブレット、パーソナルコンピュータ（ＰＣ）（例えば、ラップトップ、デスクトップ、ネットブック）、カメラ（例えば、デジタルスチル／ビデオカメラ）、デジタルプレイヤー（デジタルオーディオ／ビデオプレイヤー）、ウェアラブルデバイス（例えば、ウェアラブルカメラ、スマートウォッチ、トラッキングデバイス）、ゲームコンソール、電子書籍リーダー、遠隔医療／テレメディシン（遠隔医療・医薬）装置、通信機能を提供する乗り物（例えば、自動車、飛行機、船舶）、およびこれらのさまざまな組合せが挙げられる。
【０１４９】
通信装置は、携帯型または可搬型に限定されず、非携帯型または据え付け型である任意の種類の装置、デバイス、またはシステム、例えば、スマートホームデバイス（例えば、電化製品、照明、スマートメーター、コントロールパネル）、自動販売機、および「モノのインターネット（ＩｏＴ：Internet of Things）」のネットワーク内の任意の他の「モノ」なども含むことができる。
【０１５０】
通信は、例えばセルラーシステム、無線ＬＡＮシステム、衛星システム、その他、およびこれらのさまざまな組合せを通じて、データを交換することを含むことができる。
【０１５１】
通信装置は、本開示の中で説明した通信機能を実行する通信デバイスに結合されたコントローラやセンサなどのデバイスを備えることができる。例えば、通信装置は、通信装置の通信機能を実行する通信デバイスによって使用される制御信号やデータ信号を生成するコントローラやセンサを備えることができる。
【０１５２】
通信装置は、インフラストラクチャ設備、例えば、上の非限定的な例における装置等の装置と通信する、または、そのような装置を制御する基地局、アクセスポイント、および任意の他の装置、デバイス、またはシステムなどをさらに含むことができる。
【０１５３】
広範に説明した本開示の趣旨または範囲から逸脱することなく、特定の実施形態に示されている本開示に対して多数の変更および／または変形を行うことができることが、当業者には理解されるであろう。したがって、本明細書における実施形態は、あらゆる点において例示的なものであり、限定的なものではないと考えられるべきである。
【図１Ａ】
2022501907.tif 000018
【図１Ｂ】
2022501907.tif 000019
【図２Ａ】
2022501907.tif 000020
【図２Ｂ】
2022501907.tif 000021
【図３Ａ】
2022501907.tif 000022
【図３Ｂ】
2022501907.tif 000023
【図４】
2022501907.tif 000024
【図５】
2022501907.tif 000025
【図６Ａ】
2022501907.tif 000026
【図６Ｂ】
2022501907.tif 000027
【図７】
2022501907.tif 000028
【図８】
2022501907.tif 000029
【図９】
2022501907.tif 000030
【図１０】
2022501907.tif 000031
【図１１】
2022501907.tif 000032
【図１２】
2022501907.tif 000033
【図１３】
2022501907.tif 000034
【図１４】
2022501907.tif 000035
【図１５】
2022501907.tif 000036
【図１６】
2022501907.tif 000037
【図１７】
2022501907.tif 000038
【図１８】
2022501907.tif 000039
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
マルチユーザ送信用物理レイヤプロトコルデータユニット（PPDU）の空間ストリーム数により指定されるExtremely High Throughput ロングトレーニングフィールド（EHT-LTF）シンボル数初期値に基づいて、前記PPDUのEHT-LTFシンボル数を設定し、前記EHT-LTFシンボル数は前記EHT-LTFシンボル数初期値と等しく、または、前記EHT-LTFシンボル数初期値より大きく設定される、回路と、
前記PPDUを送信する、送信機と、を含む、
通信装置。
【請求項２】
前記EHT-LTFシンボル数は前記EHT-LTFシンボル数初期値より大きく設定される、
請求項１に記載の通信装置。
【請求項３】
前記EHT-LTFシンボル数は定義された複数の選択肢から選択される、
請求項１に記載の通信装置。
【請求項４】
前記PPDUは、前記EHT-LTFシンボル数を示すプリアンブルを含む、
請求項１に記載の通信装置。
【請求項５】
前記空間ストリーム数は、前記PPDUで割り当てられる各リソースユニット（RU）毎に定義される、
請求項１に記載の通信装置。
【請求項６】
前記空間ストリーム数が偶数である第１の場合、前記EHT-LTFシンボル数初期値は前記空間ストリーム数と等しく、
前記空間ストリーム数が１以外の奇数である第２の場合、前記EHT-LTFシンボル数初期値は前記空間ストリーム数に１を加えた値と等しくなる、
請求項１に記載の通信装置。
【請求項７】
前記空間ストリーム数は８よりも大きい、
請求項１に記載の通信装置。
【請求項８】
前記EHT-LTFシンボル数は、前記PPDUのフォーマットに基づいて設定される、
請求項１に記載の通信装置。
【請求項９】
マルチユーザ送信用物理レイヤプロトコルデータユニット（PPDU）の空間ストリーム数により指定されるExtremely High Throughput ロングトレーニングフィールド（EHT-LTF）シンボル数初期値に基づいて、前記PPDUのEHT-LTFシンボル数を設定し、前記EHT-LTFシンボル数は前記EHT-LTFシンボル数初期値と等しく、または、前記EHT-LTFシンボル数初期値より大きく設定され、
前記PPDUを送信する、
通信方法。
【請求項１０】
マルチユーザ送信用物理レイヤプロトコルデータユニット（PPDU）の空間ストリーム数により指定されるExtremely High Throughput ロングトレーニングフィールド（EHT-LTF）シンボル数初期値に基づいて、前記PPDUのEHT-LTFシンボル数を設定し、前記EHT-LTFシンボル数は前記EHT-LTFシンボル数初期値と等しく、または、前記EHT-LTFシンボル数初期値より大きく設定される、制御と、
前記PPDUを送信する、制御と、を処理する、
集積回路。
【請求項１１】
トリガベース物理レイヤプロトコルデータユニット（TB PPDU）の空間ストリーム数により指定されるExtremely High Throughput ロングトレーニングフィールド（EHT-LTF）シンボル数初期値に基づいて、前記TB PPDUのEHT-LTFシンボル数を設定し、前記EHT-LTFシンボル数は前記EHT-LTFシンボル数初期値と等しく、または、前記EHT-LTFシンボル数初期値より大きく設定される、回路と、
前記TB PPDUを要求するトリガフレームを送信する、送信機と、
前記TB PPDUを受信する、受信機と、を含む、
通信装置。
【請求項１２】
前記トリガフレームは、前記EHT-LTFシンボル数を示す、
請求項１１に記載の通信装置。
【国際調査報告】
2022501907.tif 000040
2022501907.tif 000041
2022501907.tif 000042
2022501907.tif 000043